(57)【要約】  無線広帯域トランシーバは、複数の周波数ホップスペクトル拡散（ＦＨＳＳ）装置と、送信及び／又は受信部分における同相／直交の不平衡に対して個別に且つ動的に補償されるＦＨＳＳ物理チャネルに対応する複数のデジタルチェーンを含むことによって、近距離上の複数の周波数上で同時に通信できるかも知れない。更に通信を向上させるために、トランシーバは、同時に受信及び／又は送信される隣接チャネル信号間の相互干渉も緩和し、同一チャネル信号の誤受信及び／又は誤送信を回避し、他のチャネル送信に対して各ＦＨＳＳチャネル送信を遅延させ、ＦＨＳＳ装置への接続を迅速化し、アプリケーションに依存するＴＸ／ＲＸバイナリパターンに応じて、時分割複信（ＴＤＤ）動作を調整するかも知れない。かかるトランシーバを含む装置（ＦＨＳＳホットスポット）は、更なる個人用ホスト装置を該装置と共に運搬する必要無く、複数の市販のＦＨＳＳ周辺装置を同時利用可能にするかも知れない。 【選択図】図２Ａ
2019531676.tif 000002
【特許請求の範囲】
【請求項１】
周波数ホップスペクトラム拡散多重アクセス（ＦＨＳＳ−ＭＡ：ｆｒｅｑｕｅｎｃｙ−ｈｏｐｐｅｄ  ｓｐｒｅａｄ−ｓｐｅｃｔｒｕｍ  ｍｕｌｔｉｐｌｅ−ａｃｃｅｓｓ）受信装置であって、該装置は：
複数のデジタル受信チェーンであって、各デジタル受信チェーンは、連結されて、受信された無線周波数（ＲＦ：ｒａｄｉｏ−ｆｒｅｑｕｅｎｃｙ）ＦＨＳＳ−ＭＡ信号の、一対の共通なデジタル化された中間周波数（ＩＦ：ｉｎｔｅｒｍｅｄｉａｔｅ−ｆｒｅｑｕｅｎｃｙ）の同相（Ｉ）成分及び直交（Ｑ）成分を受信し、各デジタル受信チェーンは：
デジタルＩＦのＩ成分とＱ成分とのミスマッチを減少するように構成されたＩ／Ｑ不平衡補正回路；及び
前記Ｉ／Ｑ不平衡補正回路のＩ出力及びＱ出力を、略ゼロＩＦ（ＺＩＦ：ｚｅｒｏ−ＩＦ）に、前記Ｉ／Ｑ不平衡補正回路の前記Ｉ出力及びＱ出力を、前記各デジタル受信チェーンに対応し、前記複数のデジタル受信チェーンの他のチェーンに対応する周波数ホッピング波形と異なる各デジタル化周波数ホッピング波形と混合することによって、ダウンコンバートして、ＺＩＦのＩ成分及びＱ成分を生成するように構成されたデジタルミキサ回路を含む、
デジタル受信チェーンを備える、装置。
【請求項２】
前記複数のデジタル受信チェーンの前に配設され、前記受信されたＦＨＳＳ−ＭＡ信号の前記デジタルＩＦのＩ成分及びＱ成分における局部発振器（ＬＯ：ｌｏｃａｌ  ｏｓｃｉｌｌａｔｏｒ）リーク及び／又は直流（ＤＣ）リークをフィルタリング除去するように構成された、搬送波ＬＯリーク及びＤＣリーク抑圧回路を更に備える、請求項１に記載の装置。
【請求項３】
各デジタル受信チェーンのデータ受信を、該チェーンの対応する周波数ホッピング波形の周波数チャネルが、データを能動的に受信する他のデジタル受信チェーンに対応する前記周波数ホッピング波形の少なくとも１つの前記周波数チャネルと同一であれば、無効にする制御回路を更に備える、請求項１に記載の装置。
【請求項４】
前記各Ｉ／Ｑ不平衡補正回路は、係数を使用して、Ｉ成分とＱ成分のミスマッチを減少するように構成され、前記係数は、前記各周波数ホッピング波形の前記周波数の関数として決定される、請求項１に記載の装置。
【請求項５】
Ｉ成分とＱ成分とのミスマッチを減少させるのに使用される係数を出力するように構成された係数メモリであって、該係数メモリのアドレスは、前記各周波数ホッピング波形の前記周波数の関数である、係数メモリを更に備える、請求項４に記載の装置。
【請求項６】
前記デジタル受信チェーンは、前記各デジタルミキサのＩ成分及びＱ成分をフィルタリングし、間引きするように構成されたフィルタリング及び間引き回路を更に含む、請求項１に記載の装置。
【請求項７】
各デジタル受信チェーンは、隣接チャネル除去復調回路を更に含み、該回路は：
復調されるＦＨＳＳ信号のパラメータ推定回路；及び
パラメータを使用して前記復調されたシンボルを再変調する変調回路；及び
各隣接チャネル変調器信号をダウンコンバート又はアップコンバートし、前記ダウン／アップコンバートされた隣接チャネル変調器信号を、前記フィルタリング及び間引き回路のＩ成分及びＱ成分から減算する、隣接チャネル干渉キャンセル回路；及び
前記復調器の入力を、前記フィルタリング及び間引き回路のＩ成分及びＱ成分と連結させるか、又は前記隣接チャネル干渉キャンセル回路のＩ成分及びＱ成分と連結させるかを選択するマルチプレクサ回路；及び
前記マルチプレクサのＩ成分及びＱ成分をパケットシンボルに復調する復調回路
を含む、請求項６に記載の装置。
【請求項８】
各デジタル受信チェーンは、前記パケットシンボルを、各復調器から受信し、前記パケットシンボルをデータフレームに変換し、前記データフレームをメモリに記憶するように、連結される受信データ処理回路を更に含む、請求項７に記載の装置。
【請求項９】
周波数選択回路であって、データの受信中ではない前記各デジタル受信チェーンに対応する前記周波数ホッピング波形の前記周波数は、通信を制御するために、ＦＨＳＳシグナリングプロトコルによって使用される周波数の組から選択される、周波数選択回路を更に備える、請求項１に記載の装置。
【請求項１０】
周波数ホップスペクトラム拡散多重アクセス（ＦＨＳＳ−ＭＡ：ｆｒｅｑｕｅｎｃｙ−ｈｏｐｐｅｄ  ｓｐｒｅａｄ−ｓｐｅｃｔｒｕｍ  ｍｕｌｔｉｐｌｅ−ａｃｃｅｓｓ）送信装置であって、該装置は：
複数のデジタル送信チェーンであって、各デジタル送信チェーンは、連結されて、各デジタル化された略ゼロ中間周波数（ＺＩＦ：ｚｅｒｏ−ｉｎｔｅｒｍｅｄｉａｔｅ−ｆｒｅｑｕｅｎｃｙ）の同相（Ｉ）及び直交（Ｑ）成分を受信し、各デジタル送信チェーンは：
前記各ＺＩＦのＩ成分及びＱ成分を、前記各デジタル送信チェーンに対応し、前記複数のデジタル送信チェーンの他のチェーンと対応する周波数ホッピング波形とは異なる各デジタル周波数ホッピング波形と混合することによって、デジタル周波数ホッピングされた中間周波数（ＩＦ）のＩ成分及びＱ成分にアップコンバートして、各デジタル周波数ホッピングされたＩＦのＩ成分及びＱ成分を生成するように構成されたデジタルミキサ回路；及び
アンテナで無線周波数（ＲＦ）信号にアップコンバートした後に測定される際に、Ｉ成分とＱ成分とのミスマッチを減少するように構成されたＩ／Ｑ不平衡補正回路
を含む、デジタル送信チェーンを備える装置。
【請求項１１】
各デジタル送信チェーンは、メモリから各データフレームを受信し、前記データフレームをパケットシンボルに変換し、前記パケットシンボルを固定シンボルレートで出力するように連結される送信データ処理回路を更に含む、請求項１０に記載の装置。
【請求項１２】
各送信データ処理回路は、スケジュールされた共通の送信時点に対して、前記各パケットシンボルの出力を更に遅延させる、請求項１１に記載の装置。
【請求項１３】
各デジタル送信チェーンは、同相（Ｉ）及び直交（Ｑ）信号成分を生成するために、パケットのシンボルを変調するデジタル変調回路を更に含む、請求項１０に記載の装置。
【請求項１４】
前記ミキサの前に、前記変調器のＩ信号及びＱ信号成分を補間及びフィルタリングして、略ゼロ中間周波数（ＺＩＦ）の同相（Ｉ）及び直交（Ｑ）信号成分を生成するように構成された補間及びフィルタリング回路が、続く、請求項１３に記載の装置。
【請求項１５】
前記複数のデジタル送信チェーンのＩ／Ｑ不平衡補正のＩ成分とＱ成分を合成して、合成されたデジタルＩＦのＦＨＳＳ−ＭＡ信号のＩ成分及びＱ成分を得るように構成されたコンバイナ回路を更に備える、請求項１０に記載の装置。
【請求項１６】
前記合成されたデジタルＩＦのＦＨＳＳ−ＭＡ信号のＩ成分及びＱ成分を受信するように、及び前記アンテナで無線周波数（ＲＦ）信号にアップコンバートした後に測定される際に、リーク抑圧デジタルＩＦのＩ成分及びＱ成分を出力するように、連結される搬送波リーク抑圧回路を更に備える、請求項１５に記載の装置。
【請求項１７】
前記各Ｉ／Ｑ不平衡補正回路は、前記アンテナで無線周波数（ＲＦ）信号にアップコンバートした後に測定される際に、係数を使用して、Ｉ成分とＱ成分との前記ミスマッチを減少するように構成され、前記係数は、前記各周波数ホッピング波形の前記周波数の関数として決定される、請求項１０に記載の装置。
【請求項１８】
Ｉ成分とＱ成分との前記ミスマッチを減少させるのに使用される係数を出力するように構成された係数メモリであって、該係数メモリのアドレスは、前記各デジタル周波数ホッピング波形の前記周波数の関数である、係数メモリを更に備える、請求項１７に記載の装置。
【請求項１９】
各デジタル送信チェーンのデータ送信を、該チェーンの対応する周波数ホッピング波形の周波数チャネルが、データを能動的に送信する他のデジタル送信チェーンに対応する前記周波数ホッピング波形の少なくとも１つの前記周波数チャネルと同一であれば、無効にする制御回路を更に備える、請求項１０に記載の装置。
【請求項２０】
前記複数のデジタル送信チャネルの他のチャネルによって送信された隣接チャネル信号と同時に送信される場合、各変調器及び／又はミキサ回路は、前記信号の中心周波数をオフセットしてもよい、請求項１０に記載の装置。
【請求項２１】
周波数選択回路であって、データの送信中ではない前記各デジタル送信チェーンに対応する前記周波数ホッピング波形の前記周波数は、通信を制御するために、ＦＨＳＳシグナリングプロトコルによって使用される周波数の組から選択される、周波数選択回路を更に備える、請求項１０に記載の装置。
【請求項２２】
周波数ホップスペクトラム拡散多重アクセス（ＦＨＳＳ−ＭＡ：ｆｒｅｑｕｅｎｃｙ−ｈｏｐｐｅｄ  ｓｐｒｅａｄ−ｓｐｅｃｔｒｕｍ  ｍｕｌｔｉｐｌｅ−ａｃｃｅｓｓ）通信装置であって、該装置は：
請求項１に記載の前記受信装置；及び
請求項１０に記載の送信装置（場合によっては、幾つかの構成要素を前記受信装置と共有する）
を備える、装置。
【請求項２３】
一定の時間間隔で、前記装置を、アプリケーションの関数であるバイナリパターンに応じて送信又は受信可能にする時分割複信（ＴＤＤ：ｔｉｍｅ−ｄｉｖｉｓｉｏｎ−ｄｕｐｌｅｘ）スケジューラ回路を更に備える、請求項２２に記載の装置。
【請求項２４】
１つ又は複数のプロセッサに、前記ＦＨＳＳ−ＭＡシステムを管理するための動作を実装させるように構成されたソフトウェア命令を記憶させてあるメモリ、及び前記動作を実装するための１つ又は複数のプロセッサを更に備える、請求項２２に記載の装置。
【請求項２５】
１つ又は複数のプロセッサに、マルチチャネル信号処理のための動作を実装させるように構成されたソフトウェア命令を記憶させてあるメモリ、及び前記動作を実装するための１つ又は複数のプロセッサを更に備える、請求項２２に記載の装置。
【請求項２６】
周波数ホップスペクトラム拡散多重アクセス（ＦＨＳＳ−ＭＡ：ｆｒｅｑｕｅｎｃｙ−ｈｏｐｐｅｄ  ｓｐｒｅａｄ−ｓｐｅｃｔｒｕｍ  ｍｕｌｔｉｐｌｅ−ａｃｃｅｓｓ）通信方法であって、該方法は：
複数の異なる周波数ホッピング波形に対応する、受信された無線周波数（ＲＦ）のＦＨＳＳ−ＭＡ信号から得られた、デジタル化された中間周波数（ＩＦ）の同相（Ｉ）成分及び直交（Ｑ）成分を、複数回（インスタンス）、処理するステップであって、処理インスタンスは：
前記デジタルＩＦのＩ成分とＱ成分とのミスマッチを減少するために、Ｉ／Ｑ不平衡補正を実行するステップ；及び
前記Ｉ／Ｑ不平衡補正の前記Ｉ出力及びＱ出力を、前記複数の異なる周波数ホッピング波形の各周波数ホッピング波形と混合することによって、前記Ｉ／Ｑ不平衡補正の前記Ｉ出力及びＱ出力を、ゼロＩＦ（ＺＩＦ）にダウンコンバートして、ＺＩＦのＩ成分及びＱ成分を生成するステップ
を含む、処理するステップを備える、方法。
【請求項２７】
前記処理するステップは、前記デジタルＩＦのＩ成分及びＱ成分に対する搬送波リーク及び／又は直流抑圧を、前記処理前に、実行するステップを更に含む、請求項２６に記載の方法。
【請求項２８】
各処理インスタンスは、該処理インスタンスの対応する周波数ホッピング波形の周波数チャネルが、データを受信する他の処理インスタンスに対応する前記周波数ホッピング波形の少なくとも１つの前記周波数チャネルと同一であれば、データ受信を無効にするステップを更に含む、請求項２６に記載の方法。
【請求項２９】
Ｉ／Ｑ不平衡補正を実行するステップは、前記各周波数ホッピング波形の前記周波数に基づいて生成された係数を使用することを含む、請求項２６に記載の方法。
【請求項３０】
各処理インスタンスは、前記復調されたＦＨＳＳ信号の前記パラメータを推定するステップ、前記パラメータを使用して、前記ＦＨＳＳ信号を再復調するステップ、前記ＦＨＳＳ信号をアップコンバート及び／又はダウンコンバートするステップ、及び前記結果として得られた信号を、隣接チャネルＦＨＳＳ信号から減算するステップを更に含む、請求項２６に記載の方法。
【請求項３１】
前記処理するステップは、通信を制御するために、ＦＨＳＳシグナリングプロトコルによって使用される前記周波数の組の中からデータを受信中でない前記処理インスタンスに対応する前記周波数ホッピング波形の前記周波数を選択するステップを更に含む、請求項２６に記載の方法。
【請求項３２】
周波数ホップスペクトラム拡散多重アクセス（ＦＨＳＳ−ＭＡ：ｆｒｅｑｕｅｎｃｙ−ｈｏｐｐｅｄ  ｓｐｒｅａｄ−ｓｐｅｃｔｒｕｍ  ｍｕｌｔｉｐｌｅ−ａｃｃｅｓｓ）通信方法であって、該方法は：
複数の異なる周波数ホッピング波形に対応する、受信されデジタル化されたゼロ中間周波数（ＺＩＦ）の同相（Ｉ）と直交（Ｑ）信号成分を、複数回（インスタンス）、処理するステップであって、該処理するステップは：
デジタル化された中間周波数（ＩＦ）のＩ成分及びＱ成分を生成するために、前記デジタルＺＩＦのＩ成分及びＱ成分を、前記複数の異なる周波数ホッピング波形の各周波数ホッピング波形と混合することによって、前記デジタルＺＩＦのＩ成分及びＱ成分をアップコンバートするステップ；及び
前記デジタルＩＦのＩ成分とＱ成分とのミスマッチを減少するために、Ｉ／Ｑ不平衡補正を実行するステップ
を含む、処理するステップを備える、方法。
【請求項３３】
各処理インスタンスは、メモリからのデータフレームをパケットシンボルに変換するステップ、及び前記シンボルを固定シンボルレートで出力するステップを更に含む、請求項３２に記載の方法。
【請求項３４】
処理するステップは、各パケットシンボルの出力を、スケジュールされた共通の送信インスタントに対して遅延させるステップを更に含む、請求項３３に記載の方法。
【請求項３５】
Ｉ／Ｑ不平衡補正を実行するステップは、前記各周波数ホッピング波形の前記周波数に基づいて生成された係数を使用するステップを含む、請求項３２に記載の方法。
【請求項３６】
各処理インスタンスは、該処理インスタンスの対応する周波数ホッピング波形の周波数チャネルが、データを送信する他の処理インスタンスに対応する前記周波数ホッピング波形の少なくとも１つの前記周波数チャネルと同一であれば、データ送信を無効にするステップを更に含む、請求項３２に記載の方法。
【請求項３７】
隣接チャネル信号と同時に送信される場合、各処理インスタンスは、送信される信号の中心周波数を更にオフセットする、請求項３２に記載の方法。
【請求項３８】
前記処理するステップは、前記結果として得られた複数のデジタルＩＦのＩ成分とデジタルＩＦのＱ成分を合成するステップ、及び前記合成されたデジタルＩＦのＦＨＳＳ−ＭＡのＩ成分及びＱ成分に対する搬送波局部発振器（ＬＯ）リーク抑圧を実行するステップを更に含む、請求項３２に記載の方法。
【請求項３９】
前記処理するステップは、通信を制御するために、ＦＨＳＳシグナリングプロトコルによって使用される前記周波数の組の中からデータを送信中でない前記各デジタル送信チェーンに対応する前記周波数ホッピング波形の前記周波数を選択するステップを更に含む、請求項３２に記載の方法。
【請求項４０】
請求項２６の受信の前記方法及び請求項３２に記載の送信の前記方法を備える、
周波数ホップスペクトラム拡散多重アクセス（ＦＨＳＳ−ＭＡ：ｆｒｅｑｕｅｎｃｙ−ｈｏｐｐｅｄ  ｓｐｒｅａｄ−ｓｐｅｃｔｒｕｍ  ｍｕｌｔｉｐｌｅ−ａｃｃｅｓｓ）通信方法。
【請求項４１】
一定の時間間隔で、前記アプリケーションの関数であるバイナリパターンに応じて送信又は受信をスケジューリングするステップを更に備える、請求項４０に記載の方法。
【請求項４２】
処理するステップは、複数のＦＨＳＳ装置の送信電力を、該装置の対応する受信された信号レベルを等化するように、制御するステップを更に含む、請求項４０に記載の方法。
【請求項４３】
処理するステップは、複数の無線同期接続で同時に受信される複数のＦＨＳＳ装置のマイクロホン信号を適切にブレンドすることによって、可聴な周囲ノイズを緩和するステップを更に含む、請求項４０に記載の方法。
【請求項４４】
処理するステップは、ＦＨＳＳホットスポット装置のマイクロホン入力、及び／又は、ＦＨＳＳスピーカのマイクロホン入力に基づいて、音を制御するために、該装置に対して移動中のＦＨＳＳ装置のスピーカの音声ストリームの遅延及び音量を適合するステップを、更に含む、請求項４０に記載の方法。
【請求項４５】
処理するステップは、接続を失った各ＦＨＳＳ装置に対する再接続を遅延して、他のＦＨＳＳ装置が前記各ＦＨＳＳ装置に接続可能にするステップを更に含む、請求項４０に記載の方法。
【請求項４６】
処理するステップは、近距離ＦＨＳＳ装置アドレスを人（連絡先）と関連付けて、まず前記人の関連付けられた近距離ＦＨＳＳ装置に接続するよう試みることによって、前記人と連絡を取るよう試みるステップを更に含む、請求項４０に記載の方法。
【請求項４７】
処理するステップは、人と連絡するのに必要とされるサービスをサポートする（従って、無線ブリッジとして機能する）信頼できるＦＨＳＳ装置にまず接続を試みることによって、前記人と連絡する際の電磁放射を低減するステップを更に含む、請求項４０に記載の方法。
【発明の詳細な説明】
【技術分野】
【０００１】
本開示の様々な態様は、無線通信に関し、特に、周波数ホップスペクトラム拡散（ＦＨＳＳ：Ｆｒｅｑｕｅｎｃｙ−Ｈｏｐｐｅｄ  Ｓｐｒｅａｄ−Ｓｐｅｃｔｒｕｍ）を使用する通信、及び特に、ＦＨＳＳ多重アクセス（ＦＨＳＳ−ＭＡ：ＦＨＳＳ  ｍｕｌｔｉｐｌｅ−ａｃｃｅｓｓ）システムにおける複数の装置と通信できるＦＨＳＳ装置を使用する通信に関するかも知れない。
【背景技術】
【０００２】
ＦＨＳＳは、比較的近距離領域（無線パーソナルエリアネットワーク（ＷＰＡＮ：Ｗｉｒｅｌｅｓｓ  Ｐｅｒｓｏｎａｌ  Ａｒｅａ  Ｎｅｔｗｏｒｋ）領域として知られる、即ち、＜１０ｍ）で、周辺装置（例えば、ヘッドホン、スピーカ、コントローラ及びマウス）を、該装置の個人用ホスト装置（例えば、スマートフォン、タブレット及びラップトップ型コンピュータ）に、無線接続するのに最も一般的に使用される技術である。ＦＨＳＳを使用する標準的な無線通信装置の大部分は、低消費電力、低コスト、低レイテンシ、低放射線量の装置である。最もよく知られているＦＨＳＳに基づく規格は、８０２．１５．１ＷＰＡＮ（Ｂｌｕｅｔｏｏｔｈ（登録商標））規格である。
【０００３】
近距離の個人用無線通信装置によってＦＨＳＳ技術が広く採用されているのとは対照的に、遠距離用ＦＨＳＳ技術（無線ローカルエリアネットワーク（ＷＬＡＮ：Ｗｉｒｅｌｅｓｓ  Ｌｏｃａｌ  Ａｒｅａ  Ｎｅｔｗｏｒｋ）領域、即ち、＜１００ｍとして知られる）マルチユーザ無線通信は、より高消費電力、高コスト、高レイテンシ及び高放射線量となる犠牲の上で、より高いデータ処理能力を提供するために、西暦２０００年頃を境に、直交周波数分割多重（ＯＦＤＭ：Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）技術及び他の技術に、現在までに、完全に取って代わられた。
【０００４】
従って、複数の市販されている低コスト、低電力、低レイテンシ及び低放射線量のＦＨＳＳ（例えば、Ｂｌｕｅｔｏｏｔｈ（登録商標））装置と、送信規制に違反せずに、比較的近距離（ＷＰＡＮ領域とＷＬＡＮ領域間で可変で、本明細書では、「無線群エリアネットワーク（ＷＧＡＮ：Ｗｉｒｅｌｅｓｓ  Ｇｒｏｕｐ  Ａｒｅａ  Ｎｅｔｗｏｒｋ）領域」として規定される）で、複数の周波数（例えば、Ｂｌｕｅｔｏｏｔｈ（登録商標）チャネル）上で同時に通信できる可能性がある装置を開発することが望ましいかも知れない。かかる装置（「ＦＨＳＳホットスポット」）は、該装置と共に更なる個人用ホスト装置を運搬する必要無く、複数の市販のＦＨＳＳ周辺装置を同時に使用可能にするかも知れない、また、他の無線通信技術（例えば、ＷＬＡＮ、セルラ）と比較して、ＦＨＳＳ技術を使用して該装置と通信する該装置の付近にある複数の他のモバイル装置（例えば、スマートフォン、タブレットコンピュータ）の放射線量及び／又はレイテンシ及び／又は使用コスト及び／又は消費電力を低減するかも知れない。ＦＨＳＳホットスポット装置の機能は、モバイル装置（例えば、スマートフォン、タブレットコンピュータ、ヘッドホン、ヘルメット）及び  固定式装置（例えば、無線方式ルータ／ブリッジ、ゲーム機、テレビ、音響システム）に組込まれるかも知れない。
【発明の概要】
【発明が解決しようとする課題】
【０００５】
本開示の様々な態様は、かかる通信を容易にするのに使用されてもよい装置及び方法を提示する。一態様では、無線「ＦＨＳＳホットスポット」装置が提供されてもよく、該無線ＦＨＳＳホットスポット装置は、複数のＦＨＳＳ周辺装置（例えば、複数のＢｌｕｅｔｏｏｔｈ（登録商標）物理チャネル上で通信するヘッドホン、スピーカ、マウス、コントローラ等のＢｌｕｅｔｏｏｔｈ（登録商標）装置）の複数の周波数（チャネル）上で、同時マルチメディア（ビデオ、オーディオ、音声、及び他のデータ）通信を可能にして、更なる個人用ホスト装置を該周辺装置と共に運搬する必要なく、該周辺装置が、ローカライズされたマルチ装置マルチメディアセッション（例えば、電話会議セッション、ゲームセッション、ストリーミングセッション、記録セッション）を確立できるように、及び／又は、通信網（例えば、Ｅｔｈｅｒｎｅｔ、ＷＬＡＮ及びセルラ）と連動して、隔地者と通信できるように、及び／又は、放送装置（例えば、ラジオ、テレビ、メディアプレーヤ）と連動して、コンテンツをストリーミングできるようにしてもよい。
【０００６】
ＦＨＳＳホットスポット装置は、複数の個人用データ装置（例えば、スマートフォン、Ｂｌｕｅｔｏｏｔｈ（登録商標）通信をサポートするタブレットコンピュータ）の複数の周波数（チャネル）上で、同時マルチメディア（ビデオ、オーディオ、音声、及び他のデータ）通信を可能にして、場合によっては、他の形の通信（例えば、Ｗｉ−Ｆｉダイレクト（登録商標）、ＷＬＡＮ、セルラ等）と比較して、電力消費及び／又は放射線量及び／又はレイテンシ及び／又は利用コストを低減しつつ、該データ装置が、ローカライズされたマルチ装置マルチメディアセッション（例えば、電話会議セッション、ゲームセッション、ストリーミングセッション、記録セッション）を確立できるように、及び／又は、通信網（例えば、Ｅｔｈｅｒｎｅｔ、ＷＬＡＮ及びセルラ）連動して、隔地者と通信できるように、及び／又は、放送装置（例えば、ラジオ、テレビ、メディアプレーヤ）と連動して、コンテンツをストリーミングできるようにしてもよい。
【０００７】
例えば、Ｂｌｕｅｔｏｏｔｈ（登録商標）ヘッドホンは、ユーザのモバイル装置とペアリングされずに、電子会議通話に参加するといったシナリオで役に立つかも知れない；その代わりに、複数のかかるヘッドホンは、ＦＨＳＳホットスポット装置とペアリングし、複数の周波数（Ｂｌｕｅｔｏｏｔｈ（登録商標）物理チャネル）上で同時に通信してもよく、該ＦＨＳＳホットスポット装置は、次に、該装置の音声信号をブレンドし、ヘッドホンを、有線又は無線ネットワークに接続してもよく、それにより、例えば、ボイスオーバインターネットプロトコル（ボイスオーバＩＰ又はＶｏＩＰ）電話を容易にしてもよい。また、複数の他の個人用データ装置（例えば、スマートフォン）も、電子会議通話に参加するために、ＦＨＳＳホットスポット装置と、ペアリングして、該装置と複数の周波数（Ｂｌｕｅｔｏｏｔｈ（登録商標）物理チャネル）上で同時に通信してもよい。
【０００８】
本開示の別の態様による、ＦＨＳＳホットスポット装置の送信機及び受信機（トランシーバ）は、広帯域アナログベースバンド（例えば、増幅器、フィルタ、データ変換器）及びＲＦ回路を利用してもよく、それを、他の共同設置された広帯域装置（例えば、ＷＬＡＮ）と共有して、装置コストを削減し、両装置の同時送信及び同時受信を可能にしてもよい。広帯域トランシーバにおける同相（Ｉ）及び直交（Ｑ）信号の不平衡から生じる、同じ周波数帯（例えば、ＷＬＡＮ、ＷＰＡＮ、ＤＥＣＴ及びマイクロ波装置）上で通信する装置の、場合によっては強力になることがある干渉を、緩和するために、及び送信規格／規制に従うために、同相（Ｉ）と直交（Ｑ）信号のための動的周波数選択平衡化技術は、デジタル的に実装されてもよい。
【０００９】
本開示の更に別の態様によると、ＦＨＳＳホットスポット装置トランシーバは、誤受信（即ち、同一チャネルデータの受信）を回避するために、限定期間、複数のＦＨＳＳ同一チャネル信号（即ち、同時に同じチャネルを共有するＦＨＳＳ信号）の少なくとも１つの受信及び／又は送信を無効にしてもよい。
【００１０】
本開示の更に別の態様による、ＦＨＳＳホットスポット装置受信機は、所与の周波数帯域上で確実に通信する可能性がある装置数を増大させるために、同時に受信される隣接ＦＨＳＳチャネル信号間の相互干渉を、少なくとも１つの干渉ＦＨＳＳ信号のパラメトリック推定を実行し、ＦＨＳＳ干渉信号（複数可）を、該信号の推定されたパラメータを使用して再生成し、ＦＨＳＳの再生成された干渉信号（複数可）をアップ／ダウンコンバートし、その結果得られた信号を、受信された信号から減算して、所望のＦＨＳＳチャネル信号を受信することによって、緩和してもよい。
【００１１】
本開示の更に別の態様による、ＦＨＳＳホットスポット装置送信機は、所与の周波数帯域上で確実に通信する可能性がある装置数を増大させるために、同時に送信される隣接ＦＨＳＳチャネル信号間の相互干渉を、同時に送信される隣接ＦＨＳＳチャネル信号間の最小周波数分離を増大することによって、緩和してもよい。
【００１２】
本開示の別の態様による、ＦＨＳＳホットスポット装置送信機は、対応するＦＨＳＳ受信装置の応答を受信できるように、及び／又は相互チャネル干渉を抑制できるように、及び／又は送信規格／規制に違反するのを回避できるように、スケジュールされた送信インスタントに対して各ＦＨＳＳチャネル信号の送信を遅延してもよい。
【００１３】
本開示の別の態様による、ＦＨＳＳホットスポット装置リンクコントローラは、複数の周波数（ＦＨＳＳチャネル）上で同時に、定期的にシグナリングする（通信を制御する）ことによって、及び／又は複数の周波数（ＦＨＳＳチャネル）上で同時にシグナリングするためにスキャンすることによって、ＦＨＳＳ接続確立を迅速化してもよい。
【００１４】
本開示の別の態様による、ＦＨＳＳホットスポット装置は、データ送信用に割り振られた周期的な時間間隔をＦＨＳＳホットスポットのアプリケーションの関数であるバイナリＴＸ／ＲＸパターンに応じて、データの送信又は受信用に割り当てられる固定タイムスロットに、推測的に（ａ−ｐｒｉｏｒｉ）細分化することによって、及びそのデータパケット送信及び受信を、そのＴＸ／ＲＸパターンに応じてスケジューリングすることによって、ＦＨＳＳチャネルの同時送信及び受信を回避できるかも知れない。
【００１５】
本開示の別の態様による、ＦＨＳＳホットスポット装置は、固定時間間隔（「ＦＨＳＳホットスポットポリシの時間間隔」）に時間を分割することによって、セッション中、更なるＦＨＳＳ装置に確実に接続できる可能性があり、該固定時間間隔は、データの周期的な送信又は受信に割り当てられる第１サブ間隔と、通信を制御する、例えば、接続を確立するのに必要な非周期的／一回の送信又は受信に割り当てられる（及び／又は、両装置の同時通信を可能にするために、共同設置された装置（例えば、ＷＬＡＮ）通信に割り当てられる）第２サブ間隔に更に細分化されてもよい。
【００１６】
本開示の別の態様による、ＦＨＳＳホットスポット装置は、単一装置アドレス（例えば、Ｂｌｕｅｔｏｏｔｈ（登録商標）ＢＤ  ＡＤＤＲ）を使用して、その動作中に、単一のＦＨＳＳチャネル装置（例えば、Ｂｌｕｅｔｏｏｔｈ（登録商標）マスタ装置）として、既にＦＨＳＳホットスポット装置との結合を確立した（互いの適当なパラメータを非揮発性メモリに記憶することによって）ＦＨＳＳ装置に、接続できるようにしてもよい。
【００１７】
本開示の別の態様による、ＦＨＳＳホットスポット装置は、該装置のＦＨＳＳチャネル信号の平均受信電力を均等化するマルチ装置電力制御技術を適用することによって、及び該装置のＦＨＳＳチャネル信号の送信電力を均等することによって、所与の周波数帯域上で確実に動作する可能性がある装置の数を増大するために、隣接する信号間の相互干渉を更に緩和してもよい。
【００１８】
本開示の別の態様による、ＦＨＳＳホットスポット装置は、該装置の周囲における可聴周囲ノイズを、複数の無線同期接続上で同時に受信される複数のＦＨＳＳ装置のマイクロホン信号を適切にブレンドすることによって、更に緩和してもよい。
【００１９】
本開示の別の態様による、ＦＨＳＳホットスポット装置は、ＦＨＳＳホットスポット装置のマイクロホン入力、及び／又は、ＦＨＳＳスピーカのマイクロホン入力に基づいて、音を制御する（例えば、音響ビーム形成、３Ｄサウンド）ために、該装置に対して移動中のＦＨＳＳ装置のスピーカの音声ストリームの前記遅延及び音量を、継続的に適合してもよい。
【００２０】
本開示の別の態様による、ＦＨＳＳ装置（ＦＨＳＳホットスポット装置を含む）は、接続を失った各ＦＨＳＳ装置への再接続を遅延して、他のＦＨＳＳ装置を各ＦＨＳＳ装置に接続可能にしてもよい。
【００２１】
本開示の別の態様による、ＦＨＳＳ装置（ＦＨＳＳホットスポット装置を含む）は、近距離ＦＨＳＳ装置アドレス（例えば、Ｂｌｕｅｔｏｏｔｈ（登録商標）装置アドレス）を人と関連付け、まず該人の関連近距離ＦＨＳＳ装置との接続を試みる（該装置が、発見された場合で、且つ必要とされるサービスをサポートしている場合）ことによって、該人との連絡を試みてもよい。
【００２２】
本開示の別の態様による、ＦＨＳＳ装置（ＦＨＳＳホットスポット装置を含む）は、人と連絡するのに必要とされる前記サービスをサポートする（従って、無線ブリッジとして機能する）、該装置の付近にある信頼できるＦＨＳＳ装置にまず接続を試みることによって、該人と連絡する際の電磁放射を低減してもよい。
【００２３】
以下に記載される本開示のこれらの及び他の態様は、単独及び／又は様々な組合わせで実装されてもよい。更に、様々な装置及び技術の実装は、ハードウェア、ソフトウェア、ファームウェア等、及び／又はそれらの組合わせの形としてもよい。
【００２４】
次に、本開示の様々な態様が、添付図と関連して記述される。
【図面の簡単な説明】
【００２５】
【図１Ａ】関連システムを示している。
【図１Ｂ】関連装置を示している。
【図２Ａ】本開示の様々な態様が動作してもよいシステムを示している。
【図２Ｂ】本開示の様々な態様が動作してもよいＦＨＳＳホットスポット装置の概念的ブロック図を示している。
【図２Ｃ】本開示の様々な態様が動作してもよいＦＨＳＳホットスポット装置の概念的ブロック図を示している。
【図２Ｄ】本開示の様々な態様が動作してもよいＦＨＳＳホットスポット装置の概念的ブロック図を示している。
【図３Ａ】本開示の一態様によるＦＨＳＳホットスポットのデジタルフロントエンドの概念的ブロック図を示している。
【図３Ｂ】本開示の一態様によるＦＨＳＳホットスポットのデジタルフロントエンドの概念的ブロック図を示している。
【図４Ａ】本開示の一態様によるＦＨＳＳホットスポット隣接チャネル除去モデムの概念的ブロック図を示している。
【図４Ｂ】本開示の一態様によるＦＨＳＳホットスポット隣接チャネル除去モデムの概念的ブロック図を示している。
【図５】本開示の一態様によるＦＨＳＳホットスポット送信遅延技術の一概念的実施例を示している。
【図６Ａ】本開示の一態様によるＦＨＳＳホットスポットのマルチチャネルシグナリング周波数選択及びスケジューリング技術の概念的実施例を示している。
【図６Ｂ】本開示の一態様によるＦＨＳＳホットスポットのマルチチャネルシグナリング周波数選択及びスケジューリング技術の概念的実施例を示している。
【図７】本開示の一態様によるＦＨＳＳホットスポット装置のＴＸ／ＲＸパターン及びＦＨＳＳクロック生成の概念的実施例を示している。
【図８Ａ】複数の市販のＦＨＳＳ装置と同時に通信するＦＨＳＳホットスポットの概念的実施例を示している。
【図８Ｂ】複数の市販のＦＨＳＳ装置と同時に通信するＦＨＳＳホットスポットの概念的実施例を示している。
【図９】本開示の一態様による複数のＦＨＳＳ装置のＦＨＳＳホットスポット電力制御技術の概念的フローチャートを示している。
【図１０】本開示の一態様によるＦＨＳＳホットスポットの可聴周囲ノイズキャンセルの概念的ブロック図を示している。
【図１１】本開示の一態様による、ＦＨＳＳホットスポットの適応型音響ビーム形成の概念的ブロック図を示している。
【図１２】本開示の態様による、装置に接続する方法の概念的フローチャート及び人と連絡する概念的フローチャートを示している。
【図１３】本開示の一態様による、近距離装置を連絡先と関連付けるための概念的ユーザインタフェースを示している。
【発明を実施するための最良の形態】
【００２６】
次に、本開示の様々な態様が、添付図を参照して記載される。図形については、様々な実施形態の主題を説明するかも知れないが、正確な縮尺ではない、又は寸法通りではないかも知れない。
【００２７】
図１Ａは、標準的なＢｌｕｅｔｏｏｔｈ（登録商標）システムの構成を示している。携帯電話（スマートフォンとしてもよい）、タブレットコンピュータ、又は他の個人用装置２は、１つ又は複数の周辺Ｂｌｕｅｔｏｏｔｈ（登録商標）規格装置３と無線接続されてもよく、該装置３は、無線ヘッドセット、無線スピーカ、無線キーボード又は他の入力及び／又は出力（Ｉ／Ｏ）装置を含んでもよいが、それらに限定されない。例えば、Ｂｌｕｅｔｏｏｔｈ（登録商標）仕様に従い、異なる装置３は、装置２と「ペアリングされる」が、その際、装置２をマスタとしてもよく、装置３をスレーブとしてもよい。スレーブ装置は、マスタ装置によって調整されてもよい技術を使用して、マスタと通信してもよい。Ｂｌｕｅｔｏｏｔｈ（登録商標）プロトコルの能力が、マスタ装置を複数のスレーブ装置に接続できるものであっても、Ｂｌｕｅｔｏｏｔｈ（登録商標）チャネルの限定帯域幅（容量）のために、同時に２つのＢｌｕｅｔｏｏｔｈ（登録商標）スレーブ装置だけが確実に音声を通信できるかも知れない、及び１つのＢｌｕｅｔｏｏｔｈ（登録商標）スレーブ装置だけが、装置２から視聴覚（ＡＶ）コンテンツを確実にストリーミングできるかも知れない。
【００２８】
図１Ｂは、Ｂｌｕｅｔｏｏｔｈ（登録商標）装置３と通信でき、且つ様々な既知の共存技術（例えば、時分割、適応型周波数ホッピング）を使用することで、場合によっては同時にＷＬＡＮ装置とも通信できるモバイル装置２の概念図を示している。
【００２９】
図２Ａは、本開示の一態様によるＦＨＳＳ−ＭＡシステム構成を示している。以前には、図１Ａでのように、個人用装置２を通して通信できただけかも知れない複数のＦＨＳＳ周辺装置３（例えば、複数のＢｌｕｅｔｏｏｔｈ（登録商標）装置）は、ＦＨＳＳホットスポット装置１に無線接続されてもよく、同時にあらゆる種類のマルチメディアコンテンツ（データ、音声、オーディオ及びビデオ）を複数の周波数で、同時に通信できるかも知れない、及び／又は、放送装置（例えば、ラジオ、テレビ、メディアプレーヤ）と連動して、コンテンツをストリーミングできるかも知れない、及び／又は、更なる個人用ホスト装置を周辺装置と共に運搬する必要無く、ローカライズされたマルチ装置マルチメディアセッション（例えば、電話会議セッション、ゲームセッション、ストリーミングセッション）を確立できるかも知れない。かかる無線接続は、Ｂｌｕｅｔｏｏｔｈ（登録商標）ネットワークにおけるペアリングプロセスと同様の方法で実行されてもよい；しかしながら、本発明は、そうした方法に限定されず、他のＦＨＳＳ−ＭＡプロトコルが使用されてもよい。同様に、スマートフォン及びタブレットコンピュータ２等の、しかしこれらに限定されない、他の個人用ＦＨＳＳ装置も、ＦＨＳＳホットスポット装置１に無線接続されてもよい。ＦＨＳＳホットスポット装置１は、１つ又は複数のＷＬＡＮ及び／又はセルラネットワーク４に接続を提供して、接続された装置２、３が、例えば、遠隔設置された装置と通信できるようにしてもよい。例えば、ＷＬＡＮ又はセルラ４は、インターネット、又は幾つかの他の通信ネットワーク、又は一方向及び／又は双方向マルチメディア通信を含んでもよい他の種類の通信を用いて、ＶｏＩＰ通話を可能にしてもよい。
【００３０】
図２Ｂ及び図２Ｃは、ＦＨＳＳホットスポット装置１の概念図を示している。該装置は、複数のＦＨＳＳ装置（例えば、Ｂｌｕｅｔｏｏｔｈ（登録商標）装置）と、あらゆる種類のマルチメディアコンテンツ（データ、音声、オーディオ及びビデオ）を複数の周波数上で通信するために、本開示の様々な態様によるＦＨＳＳホットスポット機能（強調表示されたマルチチャネルＦＨＳＳデジタルベースバンド回路５、ＲＸ及びＴＸ広帯域デジタルフロントエンド回路１０、１０’及びアプリケーション及びプロトコル処理１８に分散される）を含む。また、装置１は、様々な既知の共存する技術（例えば、時分割、適応型周波数ホッピング）を使用することによって、ＷＬＡＮ装置と同時に通信してもよい。本開示の一態様によると、同じ広帯域のアナログフロントエンド及びＲＦは、マルチチャネルＦＨＳＳとＷＬＡＮ通信の両方用に使用されてもよく、両通信共、ＲＸ及びＴＸデジタルフロントエンド１０、１０’にデジタル的に実装されてもよい同相信号（Ｉ）及び直交信号（Ｑ）に対する平衡技術を必要とするかも知れない。
【００３１】
図２Ｄは、データプレーン及び制御プレーンを含む装置１に含まれるＦＨＳＳホットスポット機能の概念図を示している。ＦＨＳＳホットスポット機能の実装については、以下で、図２Ｄと記述される他の図の両方を参照して、更に説明される。
【００３２】
図３Ａ及び図３Ｂは、本開示の様々な態様によるマルチチャネルＦＨＳＳ（及びＷＬＡＮ）通信をサポートするデジタルフロントエンドを含むトランシーバの実施例を示している。図３Ａは、トランシーバの受信側である図２Ｄのデジタルフロントエンド装置１０の実施例を示しており、それに対して図３Ｂは、トランシーバの送信側である図２Ｄのデジタルフロントエンド装置１０’の実施例を示している。Ｘと付番した装置にアポストロフィを付ける（Ｘ’）ことによって、テキストは、受信装置Ｘに対応する送信装置を指すことに注意されるべきである。図３Ａの装置１０と図３Ｂの装置１０’（又は、本課題のための同様な機能を有する送信装置と受信装置の任意の対）は、個別な装置としてもよい、又は組合されてもよい、及び少なくとも幾つかの構成要素を共有してもよいと、理解されるべきである。例えば、アンテナが、共有されてもよい；スイッチ、サーキュレータ、デュプレクサ又は他の多重化装置（図示せず）が、アンテナを共有するために、挿入されてもよい。
【００３３】
図３Ａでは、無線周波数（ＲＦ：ｒａｄｉｏ  ｆｒｅｑｕｅｎｃｙ）信号は、標準的な直接変換広帯域無線受信機アーキテクチャ１００を使用して、受信されてもよい；受信信号は、１つ又は複数の増幅段階（２段階が示されているが、それより少ない又は多い段階であってもよい）を使用して、フィルタリング及び増幅されてもよい。その結果は、ＲＦ−ＣＩＦミキサで、周波数発生器によって発生した信号Ｆｃ（ｔ）と混合されて、ＲＦ信号を、同相成分（Ｉ）及び直交成分（Ｑ）を有する、複素中間周波数（ＣＩＦ）信号に変換してもよく、両成分は、ローパスＩ成分及びＱ成分を保持するようにローパスフィルタリングされてもよい。次に、ローパスＩ信号及びＱ信号成分は、ＡＤ変換器（ＡＤＣ：ａｎａｌｏｇ−ｔｏ−ｄｉｇｉｔａｌ  ｃｏｎｖｅｒｔｅｒ）に入力され、デジタル形式に変換されて、受信機のデジタルフロントエンド１０に入力されてもよい。値は、デジタル化されたＩ成分及びＱ成分に、直流オフセットキャンセル（ＤＣＯＣ：ｄｉｒｅｃｔ−ｃｕｒｒｅｎｔ  ｏｆｆｓｅｔ  ｃａｎｃｅｌｌａｔｉｏｎ）回路１０１が、局部発振器（ＬＯ：ｌｏｃａｌ  ｏｓｃｉｌｌａｔｏｒ）搬送波リーク抑圧回路としても機能することによって、加えられてもよい。様々な直流／搬送波オフセットキャンセル技術が、当技術分野で知られており、本明細書で使用される技術は、如何なる特定の技術にも限定されない。
【００３４】
ＤＣ／搬送波リーク抑圧回路１０１のデジタルＩ及びＱ出力信号は、デジタルポストディストーション（ＤＰＤ：ｄｉｇｉｔａｌ  ｐｏｓｔ  ｄｉｓｔｏｒｔｉｏｎ）回路に供給され、続いて、ＮｃｈのＦＨＳＳホッピングシーケンス（物理チャネル）に対応する、Ｎｃｈ（例えば、１６）の並列信号経路に供給されてもよい。Ｎｃｈの並列信号経路は、第１並列信号経路を使用して記載されるが、他の信号経路は、様々なパラメータ（例えば、周波数及び係数）を除いて、実質的に同一としてもよいと理解されるべきである。
【００３５】
第１並列信号経路では、ＤＣ／搬送波リーク抑圧回路１０１（又は、有る場合には、ＤＰＤ回路）のデジタルＩ及びＱ出力信号が、Ｉ／Ｑ不平衡補正ブロック１０２のＩ及びＱ入力に供給されてもよい。Ｉ／Ｑ不平衡補正ブロックは、係数メモリ１０３（ルックアップテーブルとしてもよい）から一組の係数ＩＱＣ1を受信してもよく、その際、係数ＩＱＣ1は、第１チャネル周波数ホッピング波形周波数Ｆ1（ｔ）の関数（即ち、ＩＱＣ1（ｔ）＝ｆ（Ｆ1（ｔ））又は単にＩＱＣ1＝ｆ（Ｆ1））として動的に選択されてもよい。係数ＩＱＣ1＝ｆ（Ｆ1）は、係数演算ブロック１０４で、必要に応じて演算され、周波数Ｆ1に対応するメモリアドレスに記憶されてもよい。ブロック１０４について、メモリ、ルックアップテーブル、又は演算ブロックのいずれかは、各並列信号経路毎に別々のブロックとしてもよい、或いは２つ以上のＮｃｈ並列信号経路間で共有されてもよい；メモリ又はルックアップテーブルの形で、係数メモリ１０３と更に共有されてもよい点に注意されたい。複数のＩ／Ｑ不平衡補正技術が、当技術分野で知られており、本発明の概念は、そうした技術のいかなる特定の１つにも限定されない点にも注意されたい。図２Ｄにおける周波数選択ボックス１３は、係数メモリブロック１０３及び係数演算ブロック１０４に、及びＣＩＦ−ＺＩＦミキサ１０５を供給する周波数発生器に供給されてもよいＦ1又はＦ1の任意の他の中間関数（例えば、実際の周波数の代わりにメモリアクセス用周波数インデックスを使用する）を生成するのに使用されてもよい。Ｆ1（ｔ）は特定のデジタルホッピング正弦波を表してもよい。ＣＩＦ−ＺＩＦミキサ１０５は、Ｉ／Ｑ不平衡補正ブロック１０２から補正されたＩ信号及びＱ信号を受信してもよく、これらの信号を、デジタルホッピング正弦波としてもよいＦ1（ｔ）と混合して、ＣＩＦのＩ信号及びＱ信号を、略ゼロ中間周波数（ＺＩＦ：ｚｅｒｏ−ｉｎｔｅｒｍｅｄｉａｔｅ  ｆｒｅｑｕｅｎｃｙ）のＩ信号及びＱ信号に変換してもよい。次に、ＺＩＦのＩ信号及びＱ信号は、ローパスフィルタリング及び間引きされ１０６、対応するモデム（第１信号経路に対してＦＨＳＳ1と示された）に供給され、該モデムで、結果として得られた信号は、復調されてもよく、データは、導出され、図２Ｄに示されたようなマルチチャネルＦＨＳＳデジタルベースバンド装置５の上位層に、及び更なるプロトコル及びアプリケーション処理１８へと送られてもよい。
【００３６】
Ｉ／Ｑ不平衡補正の概念的な実施例が、ボックス１０７、１０８内に示されている；ボックス１０７では、無線機１００から受信された信号のパワースペクトル密度は、弱いＦＨＳＳ信号と同時に受信された強いＷＬＡＮ信号を示している。直接変換無線Ｉ／Ｑ経路の不平衡のために、ＷＬＡＮ信号が、ＦＨＳＳ信号の受信を干渉している。各ＦＨＳＳチャネル電流周波数での不平衡が、Ｉ／Ｑ不平衡補正ブロック１０２によって補正されると、ＷＬＡＮの干渉は、ボックス１０８内で示されたように、弱められる。
【００３７】
図３Ａでは、２つ以上の周波数ホッピング波形周波数Ｆi（ｔ）、Ｆj（ｔ）は、それらの選択がランダム性（例えば、Ｂｌｕｅｔｏｏｔｈ（登録商標）周波数ホッピングの選択は、擬似ランダムである）のために、同一であるかも知れない。かかるシナリオでは、経路ｉ及びｊからの着信データを受信可能にすることは、同一チャネル信号の誤受信を回避するには、望ましくない可能性があり、パワー制御ブロック１０９は、図２Ｄに示された装置マネージャ１５によって設定された優先順位（経路間の比較測定（例えば、パワーレベル、ビットエラー率、同期／非同期データ）に基づいてもよい）に応じて、両経路上で又は特定の経路上で（例えば、対応する受信経路の振幅Ａｉ及び／又はＡｊを制御することによって）、受信を無効にしてもよい。
【００３８】
図３Ｂで示されたようなトランシーバの送信側のデジタルフロントエンド装置１０’は、同様な方法だが、トランシーバの受信側のデジタルフロントエンド装置１０とは逆に、動作してもよい。特に、モデムからのデジタルＺＩＦのＩ信号及びＱ信号（ここでもまた、説明目的のために、送信側の第１並列信号経路を使用し、これを、ＦＨＳＳ1としてもよい）は、補間及びフィルタリングされてもよく１０６’、その結果は、ＺＩＦ−ＣＩＦミキサ１０５’に供給されてもよく、該ミキサで、該結果は、図２Ｄにおける周波数選択ボックス１３によって設定された周波数Ｆ1を有するデジタル周波数ホッピング波形と混合されて、ＣＩＦのＩ信号及びＱ信号を生成してもよい。ＣＩＦのＩ信号及びＱ信号は、Ｉ／Ｑ不平衡補正ブロック１０２’に供給されてもよく、該ブロック１０２’で、ＣＩＦ  のＩ信号及びＱ信号は、係数メモリ（又は、上述されたような発生器）１０３’から得られた係数を使用して補正されてもよい。複数のＩ／Ｑ不平衡補正技術が当技術分野で知られており、本発明の概念は、これらの技術の如何なる特定の１つに限定されない点に、再度注意されたい。次に、Ｎｃｈの並列信号経路からのＩ信号及びＱ信号は、デジタルプレディストーション（ＤＰＤ：ｄｉｇｉｔａｌ  ｐｒｅ  ｄｉｓｔｏｒｔｉｏｎ）回路に、加えられ、供給されて、搬送波リーク抑圧ブロック１０１’に供給されてもよい。
【００３９】
次に、こうして補償されたデジタル信号は、標準的な直接変換広帯域無線送信機アーキテクチャ１００’を使用して送信されてもよい；該信号のＩ成分及びＱ成分は、デジタル／アナログ変換器（ＤＡＣ：ｄｉｇｉｔａｌ−ｔｏ−ａｎａｌｏｇ  ｃｏｎｖｅｒｔｅｒ）に供給され、変換されてもよく、次に、ＤＡＣのアナログＩ信号及びＱ信号出力は、ローパスフィルタリングされ、ＣＩＦ−ＲＦミキサで、搬送波周波数信号Ｆｃ（ｔ）と混合され、増幅されて、アンテナを介して送信されてもよい。
【００４０】
Ｉ／Ｑ不平衡補正の概念的な実施例が、ボックス１０７’、１０８’内に示されている；ボックス１０７’では、無線機１００’から送信された信号のパワースペクトル密度は、同時に送信された複数のＦＨＳＳ信号から成る複合ＦＨＳＳ−ＭＡ信号を示している。直接変換無線Ｉ／Ｑ経路の不平衡は、通信規格及び／又は規制を満たさない可能性がある不所望な画像送信を発生させている。これらＦＨＳＳチャネルの其々における不平衡が、該各チャネルの各Ｉ／Ｑ不平衡補正ブロック１０２’によって補正されると、不所望な画像信号は、ボックス１０８’内で示されたように、弱められる。
【００４１】
図３Ｂでは、２つ以上の周波数ホッピング波形周波数Ｆi（ｔ）、Ｆj（ｔ）は、それらの選択がランダム性（例えば、Ｂｌｕｅｔｏｏｔｈ（登録商標）周波数ホッピングの選択は、擬似ランダムである）であるために、同一であるかも知れない。かかるシナリオでは、経路ｉ及びｊにおけるデータの送信を可能にすることは、同一チャネルの誤受信を回避するのには、望ましくない可能性があり、パワー制御ブロック１０９’は、図２Ｄに示された装置マネージャ１５によって設定された優先順位（経路間の比較測定（例えば、パワーレベル、ビットエラー率、同期／非同期データ）に基づいてもよい）に応じて、両経路上で又は特定の経路上で（例えば、対応する送信経路の振幅Ａｉ及び／又はＡｊを制御することによって）、送信を無効にしてもよい。
【００４２】
また更なる実施例では、図３Ａ〜図３Ｂで示したように、ＦＨＳＳホットスポット１は、共通の周波数を利用して、ＦＨＳＳホットスポット及び併置されるＷＬＡＮ装置の機能を再配置してもよい。ＷＬＡＮは、ＦＨＳＳ−ＭＡと同じ周波数帯域でサポートされる（例えば、ＷＬＡＮとＢｌｕｅｔｏｏｔｈ（登録商標）は、２．４ＧＨｚ帯域を共有する）；従って、図３Ａ〜図３Ｂで示されるように、ＷＬＡＮ及びＦＨＳＳホットスポットは、共通の広帯域デジタルフロントエンド１０、１０’、即ち２．４ＧＨｚアナログＲＦ回路を使用してもよい点に注意されたい。共通の広帯域２．４ＧＨｚアナログＲＦ回路を使用する可能性は、全２．４ＧＨｚ帯域（即ち、〜８０ＭＨｚ帯域幅）がアナログ回路によってサポートされるかも知れないことによって、高められ、その結果、当該帯域にＷＬＡＮを収容する更なるデジタル処理能力を簡単に含むことが可能になるかも知れない。
【００４３】
図３Ａ及び図３Ｂで示されたようなデジタルフロントエンドの１つ又は複数の動作は、１つ又は複数のプロセッサ及び該１つ又は複数のプロセッサに該動作（例えば、係数計算１０４、１０４’）を実装させてもよい関連ソフトウェア命令を用いて、実装されてもよい点に更に注意されたい。
【００４４】
図４Ａ、図４Ｂは、ＦＨＳＳホットスポット隣接チャネル除去モデムの概念的なブロック図を示している。従来のＦＨＳＳモデム（変復調装置）の、密集したチャネル配備における隣接するチャネルの干渉（例えば、クラシックＢｌｕｅｔｏｏｔｈ（登録商標）では、チャネル帯域幅は、信号帯域と略等しい）に対するイミュニティが低いため、所与の帯域で同時に通信してもよいＦＨＳＳ装置の数が、少な過ぎて、特定のマルチ装置用途をサポートできない恐れがある。同時に通信してもよい装置の数を増大するために、ＦＨＳＳ隣接チャネル干渉を除去できるモデムを開発するのが、望ましいかも知れない。かかるモデムは、隣接チャネル除去（ＡＣＲ：ａｄｊａｃｅｎｔ−ｃｈａｎｎｅｌ−ｒｅｊｅｃｔｉｎｇ）モデムと呼ばれる。
【００４５】
図４Ａは、図２Ｄのデジタルフロントエンド装置１０の各デジタル受信経路ｃｈによって供給される各ＡＣＲモデム装置１１の概念図を示している。図４Ｂの干渉キャンセラ装置１１２は、干渉キャンセラ制御装置１１３によって、まず無効にされ、それにより効率的に迂回され、着信信号が、ＦＨＳＳ復調装置１１０に直接出力されるようにしてもよい。各ＦＨＳＳ信号が検出され、復調装置１１０が該信号を復調し始めると、ＦＨＳＳ信号パラメータ推定装置１１１は、ＦＨＳＳ信号の再変調に適するＦＨＳＳ信号のパラメータを更新するが、該パラメータは、信号の振幅、遅延、位相、シンボルレート、変調インデックス（例えば、Ｂｌｕｅｔｏｏｔｈ（登録商標）クラシックでは、０．２８〜０．３５の間で可変としてもよい）、マッチドフィルタのミスマッチ及び受信データを含むが、これらに限定されない。次に、該信号は、推定パラメータを使用して、各ＦＨＳＳ変調装置１１０’（図４Ａで示されたような送信中に使用されるのと同じ変調器としてもよい）を使用して、再生成される。
【００４６】
各受信信号に隣接する信号が検出、復調、及び再生成されると；該隣接する信号が各受信信号より強い場合には、干渉キャンセラ装置１１２は、干渉キャンセラ制御装置１１３によって、隣接するチャネルの干渉が緩和されるように（図４Ｂで、ボックス１１５内で示されたように）有効にされてもよい。２つ以上の干渉キャンセラ装置１１２は、連結されて、改良されたシリアル干渉キャンセラを形成してもよい。
【００４７】
マルチチャネルＦＨＳＳ送信中、２つの隣接するチャネルの各ＦＨＳＳ変調器１１０’（又は、送信デジタルフロントエンド装置１０’にある該隣接チャネルの各アップコンバータ）は、図４Ａのボックス１１４内で示されたように、搬送波周波数分離を、受信機によって許容される搬送波周波数公差の最大２倍まで増大することによって、隣接チャネル間の相互干渉を低減してもよい。干渉キャンセラ制御装置１１３は、各搬送波周波数オフセットｄＦchを設定してもよい。
【００４８】
図４Ａ及び図４Ｂで示されたように、ＦＨＳＳ隣接チャネル除去（ＡＣＲ）モデム装置１１の１つ又は複数の動作は、１つ又は複数のプロセッサ、及び該１つ又は複数のプロセッサに、該動作（例えば、ＦＨＳＳ信号パラメータの推定）を実装させてもよい関連ソフトウェア命令を用いて、実装されてもよい点に、更に注意されたい。
【００４９】
図５は、同時にパケットを送信するＮｃｈ（例えば、７）のＦＨＳＳ送信経路の、２つの概念的な実施例を示している。両事例では、図２Ｄのパケットプロセッサ１２’によって出力された各ＦＨＳＳ送信経路のパケット１２０は、他のＦＨＳＳ送信経路パケットより短い持続時間を有する。第１実施例では、全パケットは、同じＴＸ時点（ｉｎｓｔａｎｔ）で送信されるようにスケジュールされる（装置マネージャ１５によって設定されてもよい）；その結果、各受信経路は、ＦＨＳＳホットスポット半二重動作（即ち、時分割複信（ＴＤＤ：ｔｉｍｅ−ｄｉｖｉｓｉｏｎ−ｄｕｐｌｅｘ））の場合に、各ＦＨＳＳ装置の確認応答１２１を受信できないかも知れない。
【００５０】
第２の事例では、各ＦＨＳＳ送信経路パケットプロセッサ１２’は、そのパケット送信を遅延１２１（例えば、Ｂｌｕｅｔｏｏｔｈ（登録商標）クラシックの場合では、遅延１２１は、１．２５ミリ秒（図示されたようなＢｌｕｅｔｏｏｔｈ（登録商標）クラシックの２スロット）又は２．５ミリ秒（Ｂｌｕｅｔｏｏｔｈ（登録商標）クラシックの４スロット）して、ＴＤＤのＦＨＳＳホットスポット装置が既に受信に切替えられた後に、各ＦＨＳＳ装置が、該装置の受信を確認応答できるようにし、その結果、該装置自体が、確認応答パケット１２２を確実に受信でき、且つ再送信を回避できるようにしてもよい。
【００５１】
正確なパケット遅延設定で、より短いパケットとより長いパケット（例えば、Ｂｌｕｅｔｏｏｔｈ（登録商標）クラシックの１スロットパケット及び３スロットパケット）の両方を使用して、同時に通信できることによって、通常短いリンク制御及び管理パケットは、より長いデータパケットと同時に送信されてもよい。これは、幾つかのＦＨＳＳホットスポットチャネルが、該チャネルの装置の制御及び管理に占領されている場合に、他のＦＨＳＳチャネルは、該チャネルのデータ転送速度を下げる必要はない可能性を示唆している。
【００５２】
正確なパケット遅延設定で、より短いパケットとより長いパケット（例えば、Ｂｌｕｅｔｏｏｔｈ（登録商標）クラシックでの１スロットパケット及び３スロットパケット）の両方を使用して、同時に通信できることによって、単独のセッション型以上がサポートされるかも知れない（ハイブリッドセッション）。例えば、ヒューマンインタフェース装置（ＨＩＤ：ｈｕｍａｎ  ｉｎｔｅｒｆａｃｅ  ｄｅｖｉｃｅ）（例えば、マウス／キーボード／コントローラ）プロファイルをサポートするクラシックＢｌｕｅｔｏｏｔｈ（登録商標）装置は、同時に、高度オーディオ配信プロファイル（Ａ２ＤＰ：ａｄｖａｎｃｅｄ  ａｕｄｉｏ  ｄｉｓｔｒｉｂｕｔｉｏｎ  ｐｒｏｆｉｌｅ）をサポートするクラシックＢｌｕｅｔｏｏｔｈ（登録商標）装置と通信してもよい。
【００５３】
各送信経路のパケットプロセッサ１２’は、他の送信経路パケットプロセッサ出力に対して、その出力を遅延１２４して、送信経路の同時送信を回避してもよい（従って、規格／規制のスペクトルマスク要件に違反するのを回避してもよい）、及び／又は、干渉キャンセラ装置１１２の連結を可能にすることによって、図４Ａ、図４Ｂで示されたＡＣＲモデムの改善された動作を可能にしてもよい（受信信号間の各遅延により可能になる）。
【００５４】
図６Ａ、図６Ｂは、ＦＨＳＳホットスポットのマルチチャネルシグナリング及びマルチチャネルスキャン周波数選択、及びスケジューリング技術の概念的な実施例を示している。図６Ａは、図２Ｄの各ＦＨＳＳチャネルｃｈ周波数選択ボックス１３の概念的な実施例を示している。進行中のマルチ装置セッション中にＦＨＳＳ装置への接続を迅速化するために、ＦＨＳＳホットスポット装置は、シグナリング中及び／又はスキャン中に、マルチプレクサ１３０及びデジタル経路インデックスｃｈをパラメータとする関数１３１を使用して、該装置のＦＨＳＳチャネルを異なる周波数（チャネル）に割り当ててもよい。
【００５５】
クラシックＢｌｕｅｔｏｏｔｈ（登録商標）の特定の場合では、Ｎｃｈ＝１６のＦＨＳＳチャネルを使用することによって、図２ＤにおけるＦＨＳＳホットスポット装置リンクコントローラ１４は、図６Ｂのボックス１４０、１４１中に示されているように、単一のＢｌｕｅｔｏｏｔｈ（登録商標）タイムスロット（６２５マイクロ秒）内にシグナリングに割り振られた３２周波数全てで信号を送り、図６Ｂのボックス１４２中に示されているように、単一のＢｌｕｅｔｏｏｔｈ（登録商標）タイムスロット（６２５マイクロ秒）内にシグナリング応答に割り振られた３２周波数全てをスキャンしてもよい。信号及びスキャンを、最小ＦＨＳＳ装置スキャン持続時間（〜１０ミリ秒）以下の間隔ＴＰＯＬＩＣＹ毎に繰り返すことによって、スキャンＦＨＳＳ装置とＦＨＳＳホットスポットが、進行中のマルチ装置セッション中に、数分の１秒以内に、シグナリングと接続を交換できる蓋然性が高い。
【００５６】
Ｂｌｕｅｔｏｏｔｈ（登録商標）Ｌｏｗ  Ｅｎｅｒｇｙの特定の場合では、図６Ｂのボックス１４２内で示されたように、ＦＨＳＳホットスポット装置１は、複数のＦＨＳＳ装置の広告パケットに対してスキャンするために３つのＦＨＳＳチャネルを割り振ってもよい。広告パケットに対するスキャンと並行して、ＦＨＳＳホットスポット装置１は、他の装置と通信してもよい。かかるマルチチャネルの周期的なスキャンは、接続を迅速化する、及び／又は、ＦＨＳＳ装置の消費電力（例えば、場合によっては、それらの広告間隔を３倍も）低減するかも知れない。
【００５７】
図７は、ＦＨＳＳホットスポットＴＤＤ装置マネージャ１５のＴＸ／ＲＸパターン及びＦＨＳＳクロック生成の概念的な実施例を示している。ＦＨＳＳホットスポット装置１は、データ送信用に割り振られた周期的な時間間隔（クラシックＢｌｕｅｔｏｏｔｈ（登録商標）で３．７５ミリ秒）をＦＨＳＳホットスポットのアプリケーションの関数１５１として、バイナリＴＸ／ＲＸパターンの推測的なセットに応じて、データの送信又は受信用に割り当てられる固定タイムスロット（例えば、クラシックＢｌｕｅｔｏｏｔｈ（登録商標）で６２５マイクロ秒）に、推測的に細分化することによって、及びそのデータパケット送信及び受信の全てを、そのＴＸ／ＲＸパターンに応じてスケジューリングすることによって、各送信経路及び受信経路の同時送信及び受信を回避できるかも知れない。
【００５８】
対応するクラシックＢｌｕｅｔｏｏｔｈ（登録商標）のマルチ装置用途をサポートするためのＦＨＳＳホットスポットのＴＸ／ＲＸパターンの６つの異なる実施例が、図７のボックス１５２中に示されている。ＴＸ／ＲＸバイナリパターンの長さは、６に設定されており、周期的な３．７５ミリ秒のデータ送信時間間隔で割り振られた６つのタイムスロットに対応している。音声会議用途では、例えば、割り当てられるＴＸ／ＲＸパターンは、対称的なＴＸとＲＸデータレート（６４Ｋｂｐｓ）のために、及び求められる高信頼性（３．７５ミリ秒で最大２パケット反復）のために、｛１  ０  １  ０  １  ０｝である。
【００５９】
ＦＨＳＳホットスポット装置は、単一装置アドレス（例えば、Ｂｌｕｅｔｏｏｔｈ（登録商標）ＢＤ  ＡＤＤＲ）を使用して、その動作中に、単一のＦＨＳＳチャネル装置  （例えば、Ｂｌｕｅｔｏｏｔｈ（登録商標）のマスタ装置）として、既にＦＨＳＳホットスポット装置との結合を確立した（互いの適当なパラメータを非揮発性メモリに記憶することによって）ＦＨＳＳ装置に、接続できるようにしてもよい。その結果、ホップ周波数が、ＦＨＳＳ装置アドレスとＦＨＳＳクロックの両方の関数である（クラシックＢｌｕｅｔｏｏｔｈ（登録商標）において等）場合、全てのＦＨＳＳ接続に対して、共通のＦＨＳＳクロックを使用して、チャネル周波数の重複を抑制することは可能ではないかも知れない。それでもＦＨＳＳ接続のＴＸ／ＲＸパターンを合わせられるように、ＦＨＳＳクロック間の関係は、ボックス１５０に示された通りとしてもよい；ＦＨＳＳクロックは、データ送信に割り振られた時間間隔（例えば、３．７５ミリ秒）以上である時間間隔Ｔｐｏｌｉｃｙ（例えば、Ｂｌｕｅｔｏｏｔｈ（登録商標）クラシックのＴｐｏｌｉｃｙは、通常７．５ミリ秒である）の整数倍だけ互いに対して周期的にオフセットされる。
【００６０】
ＦＨＳＳホットスポット装置は、固定時間間隔Ｔｐｏｌｉｃｙ（「ＦＨＳＳホットスポットポリシの時間間隔」）に時間を分割することによって、セッション中、更なるＦＨＳＳ装置に迅速に接続できるかも知れない。該固定時間間隔Ｔｐｏｌｉｃｙは、ＴＸ／ＲＸパターンに応じてデータの周期的な送信又は受信に割り当てられる第１サブ間隔と、通信を制御する、例えば、接続を確立するのに必要な非周期的／一回の送信又は受信に割り当てられ（及び／又は、両装置の同時通信を可能にするために、共同設置された装置（例えば、ＷＬＡＮ）通信に割り当てられる）第２サブ間隔に更に細分化されてもよい。
【００６１】
図８Ａ、図８Ｂは、複数のＢｌｕｅｔｏｏｔｈ（登録商標）装置とのＦＨＳＳホットスポット装置の同時通信の概念的な実施例を示している。図８Ａは、複数のＢｌｕｅｔｏｏｔｈ（登録商標）クラシック装置とのＦＨＳＳホットスポット装置の同時通信を示し、図８Ｂは、複数のＢｌｕｅｔｏｏｔｈ（登録商標）Ｌｏｗ  Ｅｎｅｒｇｙ装置とのＦＨＳＳホットスポット装置の同時通信を示している。
【００６２】
図８Ａでは、Ｔｐｏｌｉｃｙ１５３は、７．５ミリ秒と等しく、データ送信間隔１５４は、３．７５ミリ秒と等しく、Ｎｃｈは、１６と等しい。非周期的な／一回の送信１５５のために割り当てられた期間は、Ｔｐｏｌｉｃｙ−データ送信間隔＝３．７５ミリ秒であり、通信を制御するために使用される。ＦＨＳＳホットスポット装置は、図６Ｂのボックス１４０、１４１内で示されたように、問い合わせ及びページングによって通信を開始する。次に、ＦＨＳＳホットスポット装置は、数秒以内に、全てのＢｌｕｅｔｏｏｔｈ（登録商標）クラシック接続が確立されてもよいように、順次接続を確立する。
【００６３】
図８Ｂでは、Ｔｐｏｌｉｃｙ１５３’は、７．５ミリ秒と等しく、データ送信間隔１５４’は、〜３．７５ミリ秒と等しく、Ｎｃｈ＞＝３である。非周期的な／一回の送信１５５’のために割り当てられた期間は、Ｔｐｏｌｉｃｙ−データ送信間隔＝〜３．７５ミリ秒であり、通信を制御するために使用される。ＦＨＳＳホットスポット装置は、図６Ｂのボックス１４２内で示されたように、広告パケットに対するマルチチャネルスキャンによって通信を開始する。次に、ＦＨＳＳホットスポット装置は、数分の１秒以内に、全てのＢｌｕｅｔｏｏｔｈ（登録商標）Ｌｏｗ  Ｅｎｅｒｇｙ接続が確立されてもよいように、順次接続を確立する。この実施例は、ＦＨＳＳホットスポット装置１に接続された全てのＢｌｕｅｔｏｏｔｈ（登録商標）Ｌｏｗ  Ｅｎｅｒｇｙ装置のパケットペイロード長が同一である（例えば、２０バイト）と仮定している。
【００６４】
図９は、各ＦＨＳＳ装置（例えば、Ｂｌｕｅｔｏｏｔｈ（登録商標）装置）のＦＨＳＳホットスポット電力制御技術の概念的なフローチャート１６１を示している。ＦＨＳＳホットスポット装置のリンクマネージャ１６は、該装置のＦＨＳＳ接続の平均受信電力と平均送信電力を均等化するマルチ装置電力制御技術を適用することによって、所与の周波数帯域上で確実に動作する可能性がある装置の数を増大するために、隣接する信号間の相互干渉を緩和してもよい。リンクマネージャ１６は、送信電力制御機能をサポートするＦＨＳＳ装置の送信電力を制御だけしてもよい。受信側の目標信号レベルは、ボックス１６０内で示されたように設定されてもよい；各ＦＨＳＳ装置の送信電力が境界１６２、１６３外となった場合には、目標信号レベルは、境界内に装置の送信電力を保つようにオフセットされ、それにより、平均受信電力の均等化を向上させる。
【００６５】
図１０は、低レイテンシのメディアプロセッサ１７によって実行されてもよいＦＨＳＳホットスポット装置の周囲ノイズキャンセルに関する概念的なブロック図を示している。ＦＨＳＳ装置が、限定的なノイズキャンセル能力（例えば、Ｂｌｕｅｔｏｏｔｈ（登録商標）小型マイクロホン、スピーカ、ヘッドホン）を有する場合には、ＦＨＳＳホットスポット装置は、その周囲における可聴周囲ノイズを、対応する複数の無線同期接続上（例えば、Ｂｌｕｅｔｏｏｔｈ（登録商標）（ｅ）ＳＣＯチャネル上）で、及びＦＨＳＳ−ホットスポット装置のローカルなマイクロホンで、同時に受信される複数のＦＨＳＳ装置のマイクロホン信号を適切にブレンド（フィルタリング及び付加）することによって、更に緩和できるかも知れない。
【００６６】
各Ｔｐｏｌｉｃｙ時間間隔（図８Ａの１５３）の複数のマイクロホンデータフレームは、ＲＸ同期バッファ（複数可）１７３から、及びローカルのマイクロホンバッファ１７４から、同時に取り出されてもよい。周囲ノイズによって支配される各ＦＨＳＳ装置マイクロホンデータフレーム（例えば、ＦＨＳＳホットスポットのローカルマイクロホン信号１７４）は、オーディオサンプルに変換され、適切にフィルタリング（等化）され、アクティブ（ａｃｔｉｖｅ）マイクロホン信号からコンバイナブロック１７２を使用して、減算されてもよい。３つの（非ノイズキャンセル）ヘッドホンを使用するローカライズされた録音／電子会議／ゲームセッション中に、周囲ノイズを緩和するコンバイナブロック１７２の実施例が、図１０に示されている。
【００６７】
フィルタ（等化器）は、様々な方法を使用して、等化器計算ブロック１７１によって計算されてもよい。例えば、信号間の相互相関は、等化器を計算し、アクティブマイクロホン信号の線形合成から減算されるべき各マイクロホン信号（周囲ノイズによって支配されている）を収集するためのメトリックとして使用されてもよい。ボックス１７５中では、周囲ノイズに支配されたマイクロホン信号（例えば、ＦＨＳＳホットスポットのローカルマイクロホン信号１７４）と３つのヘッドホンマイクロホン信号との間の相互相関について、シングルトーンの周囲ノイズが微弱なエコーを伴うと仮定して、示されている；同様な周囲ノイズの遅延及び振幅が、対応するヘッドセットマイクロホンで発生するように、ノイズ等化器を設定することによって、各等化されたノイズ信号１７６は、１７２で示されたような対応するヘッドセットマイクロホンから減算される可能性があり、シングルトーンの周囲ノイズは、緩和されるかも知れない。
【００６８】
図１１は、アプリケーションプロセッサ１８によって実行されてもよいＦＨＳＳホットスポット装置の近距離適応型音響ビーム形成の概念的なブロック図を示している。ＦＨＳＳホットスポット装置は、ＦＨＳＳホットスポット装置のマイクロホン１８２入力、及び／又は、スピーカのマイクロホン入力に基づいて、該装置に対して移動してもよい複数のＦＨＳＳスピーカに送信される音声ストリームの遅延と音量のバランスを、継続的に取ってもよい（オンライン較正）。音声ストリームデータ１８１及び制御１８０プレーンが、図１１に示されている。
【００６９】
単一の音声ストリーム（例えば、マルチチャネル音声が、１８３で、０である）の場合、ＦＨＳＳホットスポット装置は、該装置自体／他のＦＨＳＳ装置に対する仮想音源位置を継続的に移動して、該装置に対して移動しているかも知れないスピーカの音声ストリームの遅延及び音量を、ＦＨＳＳホットスポット装置のマイクロホン１８２入力、及び／又は、スピーカのマイクロホン入力に基づいて、継続的に適合させることによって、３Ｄ音響効果を発生させてもよい。
【００７０】
遅延及び振幅は、様々な方法を用いて振幅及び遅延計算ブロック１８４によって、計算されてもよい。例えば、マイクロホン信号（例えば、ＦＨＳＳホットスポットのローカルマイクロホン信号１８２）と音声ストリーム信号との相関関係は、ストリームの遅延及び振幅を更新するためのメトリックとして使用されてもよい。ボックス１７５では、３つの音声ストリーム信号とマイクロホン信号との相関関係が示されている；ビーム形成は、遅延と振幅の相関関係を等化しようとすることによって（音声ストリームの遅延及び振幅を調整することによって）、達成されてもよい。
【００７１】
図１２は、ＦＨＳＳ装置（例えば、ＦＨＳＳホットスポット装置）を別のＦＨＳＳ装置に接続するための方法の概念的なフローチャート１８５を示し、ＦＨＳＳ装置（例えば、ＦＨＳＳホットスポット装置）が人と連絡してもよい方法の概念的なフローチャート１８６、１８７を示している。ＦＨＳＳホットスポット装置は、フローチャート１８５で示されているように、接続を失った（切断されるよりむしろ）ＦＨＳＳ装置への再接続を遅延して、他の（個人用）装置をＦＨＳＳ装置に接続可能にしてもよい。再接続の遅延は、例えば、ＦＨＳＳ装置のユーザが、自分の個人用装置を再度ペアリングして、自分の装置に再接続したい場合に、必要となるかも知れない。
【００７２】
ＦＨＳＳ装置（ＦＨＳＳホットスポット装置を含む）は、概念的なフローチャート１８６で示されているように、近距離ＦＨＳＳ通信装置アドレス（例えば、Ｂｌｕｅｔｏｏｔｈ（登録商標）装置番号）を人と関連付けて、まず該人の関連近距離ＦＨＳＳ装置と接続してみる（該装置が、必要とするサービスをサポートしているならば）ことによって、該人と連絡してみてもよい。
【００７３】
ＦＨＳＳ装置（ＦＨＳＳホットスポット装置を含む）は、概念的なフローチャート１８７で示されたように、まず、当該人と連絡する必要があるサービスをサポートする（従って、無線ブリッジとして機能する）、該装置の付近にある信頼できる個人用ＦＨＳＳ装置に接続を試みて、他の無線通信技術（例えば、ＷＬＡＮ、セルラ）と比べて、電磁マイクロ波の放射を抑えることによって、該人と連絡してもよい。
【００７４】
図１３は、近距離ＦＨＳＳ装置が連絡先と関連付けられると仮定する、概念的なユーザインタフェースを示している。発見されたＦＨＳＳ装置は、連絡先一覧に表してもよく、関連装置の詳細を連絡先詳細（例えば、連絡先詳細は、電話番号、住所及びＢｌｕｅｔｏｏｔｈ（登録商標）装置名／アドレス／クラスを含んでもよい）に追加することによって、特定の連絡先と関連付けられてもよい。
【００７５】
本発明が以上で特に示され、記載されたものによって限定されないことは、当業者によって理解されるであろう。むしろ、本発明の範囲は、以上で記載された様々な特徴の組合せ及び部分的組合せの両方の他、上記説明を読んで当業者が着想し得、従来技術にはない、様々な変形例及び変更例を含む。
【図１Ａ】
2019531676.tif 000003
【図１Ｂ】
2019531676.tif 000004
【図２Ａ】
2019531676.tif 000005
【図２Ｂ】
2019531676.tif 000006
【図２Ｃ】
2019531676.tif 000007
【図２Ｄ】
2019531676.tif 000008
【図３Ａ】
2019531676.tif 000009
【図３Ｂ】
2019531676.tif 000010
【図４Ａ】
2019531676.tif 000011
【図４Ｂ】
2019531676.tif 000012
【図５】
2019531676.tif 000013
【図６Ａ】
2019531676.tif 000014
【図６Ｂ】
2019531676.tif 000015
【図７】
2019531676.tif 000016
【図８Ａ】
2019531676.tif 000017
【図８Ｂ】
2019531676.tif 000018
【図９】
2019531676.tif 000019
【図１０】
2019531676.tif 000020
【図１１】
2019531676.tif 000021
【図１２】
2019531676.tif 000022
【図１３】
2019531676.tif 000023
【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
周波数ホッピングスペクトラム拡散（ＦＨＳＳ）信号無線受信装置であって、
複数のＦＨＳＳ信号を含むＦＨＳＳ−ＭＡ信号を受信するアンテナと、
合成無線周波数を生成する無線周波数（ＲＦ）シンセサイザと、
前記合成無線周波数を使用して前記ＦＨＳＳ−ＭＡ信号を中間周波数（ＩＦ）信号にダウンコンバートするＲＦダウンコンバータと、
前記複数のＦＨＳＳ信号のそれぞれの帯域幅の少なくとも５倍より大きい帯域幅を有する少なくとも１つの広帯域選択フィルタであって、ＩＦ信号をフィルタリングして帯域外干渉を除去し、フィルタリングされた信号を出力する広帯域選択フィルタと、
フィルタリングされた信号をデジタル信号に変換する少なくとも１つのアナログツーデジタルコンバータと、
前記デジタル信号を入力し、係数のアレイを使用して複数のＦＨＳＳ中間周波数（ＩＦ）Ｉ信号およびＱ信号のアレイを出力するＩ／Ｑ非平衡補正回路と、
前記複数のＦＨＳＳ  ＩＦ  Ｉ信号およびＱ信号のアレイをＦＨＳＳゼロＩＦ（ＺＩＦ）または低ＩＦ（ＬＩＦ）信号のアレイにダウンコンバートするＩＦダウンコンバータのアレイと、
ＦＨＳＳ  ＺＩＦまたはＬＩＦ信号の前記アレイをフィルタリングし、ＦＨＳＳベースバンド信号のアレイを出力するチャネルフィルターのアレイと、
それぞれのベースバンド信号を復調データに復調する復調器のアレイとを備える、
装置。
【請求項２】
ＦＨＳＳ中間周波数（ＩＦ）Ｉ信号およびＱ信号の非平衡は、各ＦＨＳＳ信号キャリア周波数の関数として決定される係数を使用して補正される、請求項１に記載の装置。
【請求項３】
前記複数のＦＨＳＳ中間周波数（ＩＦ）Ｉ信号およびＱ信号の間の非平衡を補正するよう使用される係数を出力する係数メモリをさらに備え、前記係数メモリのアドレスは、ＦＨＳＳキャリア周波数の関数である、請求項１または２に記載の装置。
【請求項４】
復調されたデータを出力するＦＨＳＳベースバンド信号復調回路と、
ＦＨＳＳベースバンド信号変調パラメータを推定する回路と、
前記ＦＨＳＳベースバンド信号変調パラメータを使用して前記復調されたデータを再変調ＦＨＳＳ信号に再変調する変調回路と、
隣接チャネル再変調ＦＨＳＳ信号をダウンコンバートまたはアップコンバートしたものをＦＨＳＳベースバンド信号から減算することにより復調する、隣接チャネル干渉キャンセル回路とをそれぞれが含む、
隣接チャネル除去ＦＨＳＳベースバンド信号復調回路のアレイをさらに備える、
請求項１から３のいずれか一項に記載の装置。
【請求項５】
各ＦＨＳＳベースバンド信号復調器からデータパケットを受信し、受信した前記データパケットを処理し、メモリに受信したデータパケットのアレイを保存するように結合された受信データ処理回路のアレイをさらに備える、
請求項１から４のいずれか一項に記載の装置。
【請求項６】
メモリからそれぞれの送信データパケットを受信し、前記送信データパケットを処理し、処理された前記送信データパケットをＦＨＳＳベースバンド信号のアレイへと変調するよう結合された送信データ処理回路のアレイと、
ＦＨＳＳベースバンド信号の前記アレイをＦＨＳＳ中間周波数（ＩＦ）  Ｉ信号およびＱ信号のアレイへとアップコンバートするＩＦアップコンバータのアレイと、
複数のＦＨＳＳ  ＩＦ  Ｉ信号およびＱ信号のアレイを入力し、係数のアレイを使用して非平衡な信号のアレイを出力する、Ｉ／Ｑ非平衡補正回路と、
非平衡な信号の前記アレイを合成されたデジタル信号へと合成するコンバイナと、
前記合成されたデジタル信号を合成された信号へと変換する少なくとも１つのデジタルツーアナログコンバータと、
複数のＦＨＳＳ信号のそれぞれの帯域幅の少なくとも５倍より大きい帯域幅を有し、前記合成された信号をフィルタリングして帯域外発信を避け、フイルタリングされた信号を出力する、少なくとも１つの広帯域選択選択フィルタと、
合成された無線周波数を生成する無線周波数（ＲＦ）シンセサイザと、
前記合成された無線周波数を用いて前記フィルタリングされた信号を、複数のＦＨＳＳ信号を有するＦＨＳＳ  ＭＡ信号へとアップコンバートするＲＦ  ＩＱアップコンバータと、
ＦＨＳＳ  ＭＡ信号を送信するアンテナと
を備える、
装置。
【請求項７】
ＦＨＳＳ中間周波数（ＩＦ）Ｉ信号およびＱ信号の非平衡は、各ＦＨＳＳ信号キャリア周波数の関数として決定される係数を使用して生成される、請求項６に記載の装置。
【請求項８】
前記ＦＨＳＳ中間周波数（ＩＦ）Ｉ信号およびＱ信号の間の非平衡を生成するよう使用される係数を出力するよう構成される係数メモリをさらに備え、
前記係数メモリのアドレスは、各ＦＨＳＳ信号キャリア周波数の関数である、
請求項６または７に記載の装置。
【請求項９】
送信データ処理回路はさらに、他の送信データ処理回路の出力に対して出力を遅延させる、
請求項６から８のいずれか一項に記載の装置。
【請求項１０】
キャリア周波数が、送信されている別のＦＨＳＳ信号の前記キャリア周波数と等しい場合に、ＦＨＳＳ信号送信を不能にする制御回路をさらに備える、
請求項６から９のいずれか一項に記載の装置。
【請求項１１】
隣接チャネルＦＨＳＳ信号と共に同時に送信された場合に、ＦＨＳＳ信号キャリア周波数をオフセットする、回路をさらに備える、
請求項６から１０のいずれか一項に記載の装置。
【請求項１２】
周波数ホッピングスペクトラム拡散（ＦＨＳＳ）信号送受信装置であって、
請求項１から５のいずれか一項に記載の受信装置、および／または
（前記受信装置と幾つかのコンポーネントを共有可能な）請求項６から１１のいずれか一項に記載の送信装置を備える、
装置。
【請求項１３】
一定間隔の時間で前記装置がアプリケーションの関数であるバイナリパターンに従って送信または受信することを可能とする、時分割二重（ＴＤＤ）スケジューラ回路をさらに備える、
請求項１２に記載の装置。
【請求項１４】
複数のＦＨＳＳ機器の送信電力を制御して、前記受信装置への受信されたＦＨＳＳ信号レベル出力を均等化する、回路またはプロセッサをさらに備える、
請求項１２または１３に記載の装置。
【手続補正２】
【補正対象書類名】明細書
【補正対象項目名】全文
【補正方法】変更
【補正の内容】
【発明の詳細な説明】
【技術分野】
【０００１】
本開示の様々な態様は、無線通信に関し、特に、周波数ホップスペクトラム拡散（ＦＨＳＳ：Ｆｒｅｑｕｅｎｃｙ−Ｈｏｐｐｅｄ  Ｓｐｒｅａｄ−Ｓｐｅｃｔｒｕｍ）を使用する通信、及び特に、ＦＨＳＳ多重アクセス（ＦＨＳＳ−ＭＡ：ＦＨＳＳ  ｍｕｌｔｉｐｌｅ−ａｃｃｅｓｓ）システムにおける複数の装置と通信できるＦＨＳＳ装置を使用する通信に関し得る。
【背景技術】
【０００２】
ＦＨＳＳは、比較的近距離領域（無線パーソナルエリアネットワーク（ＷＰＡＮ：Ｗｉｒｅｌｅｓｓ  Ｐｅｒｓｏｎａｌ  Ａｒｅａ  Ｎｅｔｗｏｒｋ）領域として知られる、即ち、＜１０ｍ）で、周辺装置（例えば、ヘッドホン、スピーカ、コントローラ及びマウス）を、装置の個人用ホスト装置（例えば、スマートフォン、タブレット及びラップトップ型コンピュータ）に、無線接続するのに最も一般的に使用される技術である。ＦＨＳＳを使用する標準的な無線通信装置の大部分は、低消費電力、低コスト、低レイテンシ、低放射線量の装置である。最もよく知られているＦＨＳＳに基づく規格は、８０２．１５．１ＷＰＡＮ（Ｂｌｕｅｔｏｏｔｈ（登録商標））規格である。
【０００３】
近距離の個人用無線通信装置によってＦＨＳＳ技術が広く採用されているのとは対照的に、遠距離用ＦＨＳＳ技術（無線ローカルエリアネットワーク（ＷＬＡＮ：Ｗｉｒｅｌｅｓｓ  Ｌｏｃａｌ  Ａｒｅａ  Ｎｅｔｗｏｒｋ）領域、即ち、＜１００ｍとして知られる）マルチユーザ無線通信は、より高消費電力、高コスト、高レイテンシ及び高放射線量となる犠牲の上で、より高いデータ処理能力を提供するために、西暦２０００年頃を境に、直交周波数分割多重（ＯＦＤＭ：Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）技術及び他の技術に、現在までに、完全に取って代わられた。
【０００４】
従って、複数の市販されている低コスト、低電力、低レイテンシ及び低放射線量のＦＨＳＳ（例えば、Ｂｌｕｅｔｏｏｔｈ（登録商標））装置と、送信規制に違反せずに、比較的近距離（ＷＰＡＮ領域とＷＬＡＮ領域間で可変で、本明細書では、「無線群エリアネットワーク（ＷＧＡＮ：Ｗｉｒｅｌｅｓｓ  Ｇｒｏｕｐ  Ａｒｅａ  Ｎｅｔｗｏｒｋ）領域」として規定される）で、複数の周波数（例えば、Ｂｌｕｅｔｏｏｔｈ（登録商標）チャネル）上で同時に通信できる可能性がある装置を開発することが望ましいかも知れない。かかる装置（「ＦＨＳＳホットスポット」）は、装置と共に更なる個人用ホスト装置を運搬する必要無く、複数の市販のＦＨＳＳ周辺装置を同時に使用可能にし得、また、他の無線通信技術（例えば、ＷＬＡＮ、セルラ）と比較して、ＦＨＳＳ技術を使用して装置と通信する装置の付近にある複数の他のモバイル装置（例えば、スマートフォン、タブレットコンピュータ）の放射線量及び／又はレイテンシ及び／又は使用コスト及び／又は消費電力を低減し得る。ＦＨＳＳホットスポット装置の機能は、モバイル装置（例えば、スマートフォン、タブレットコンピュータ、ヘッドホン、ヘルメット）及び固定式装置（例えば、無線方式ルータ／ブリッジ、ゲーム機、テレビ、音響システム）に組込まれ得る。
【発明の概要】
【発明が解決しようとする課題】
【０００５】
本開示の様々な態様は、かかる通信を容易にするのに使用されてもよい装置及び方法を提示する。一態様では、無線「ＦＨＳＳホットスポット」装置が提供されてもよく、無線ＦＨＳＳホットスポット装置は、複数のＦＨＳＳ周辺装置（例えば、複数のＢｌｕｅｔｏｏｔｈ（登録商標）物理チャネル上で通信するヘッドホン、スピーカ、マウス、コントローラ等のＢｌｕｅｔｏｏｔｈ（登録商標）装置）の複数の周波数（チャネル）上で、同時マルチメディア（ビデオ、オーディオ、音声、及び他のデータ）通信を可能にして、更なる個人用ホスト装置を周辺装置と共に運搬する必要なく、周辺装置が、ローカライズされたマルチ装置マルチメディアセッション（例えば、電話会議セッション、ゲームセッション、ストリーミングセッション、記録セッション）を確立できるように、及び／又は、通信網（例えば、Ｅｔｈｅｒｎｅｔ（登録商標）、ＷＬＡＮ及びセルラ）と連動して、隔地者と通信できるように、及び／又は、放送装置（例えば、ラジオ、テレビ、メディアプレーヤ）と連動して、コンテンツをストリーミングできるようにしてもよい。
【０００６】
ＦＨＳＳホットスポット装置は、複数の個人用データ装置（例えば、スマートフォン、Ｂｌｕｅｔｏｏｔｈ（登録商標）通信をサポートするタブレットコンピュータ）の複数の周波数（チャネル）上で、同時マルチメディア（ビデオ、オーディオ、音声、及び他のデータ）通信を可能にして、場合によっては、他の形の通信（例えば、Ｗｉ−Ｆｉダイレクト（登録商標）、ＷＬＡＮ、セルラ等）と比較して、電力消費及び／又は放射線量及び／又はレイテンシ及び／又は利用コストを低減しつつ、データ装置が、ローカライズされたマルチ装置マルチメディアセッション（例えば、電話会議セッション、ゲームセッション、ストリーミングセッション、記録セッション）を確立できるように、及び／又は、通信網（例えば、Ｅｔｈｅｒｎｅｔ（登録商標）、ＷＬＡＮ及びセルラ）連動して、隔地者と通信できるように、及び／又は、放送装置（例えば、ラジオ、テレビ、メディアプレーヤ）と連動して、コンテンツをストリーミングできるようにしてもよい。
【０００７】
例えば、Ｂｌｕｅｔｏｏｔｈ（登録商標）ヘッドホンは、ユーザのモバイル装置とペアリングされずに、電子会議通話に参加するといったシナリオで役に立ち得る。その代わりに、複数のかかるヘッドホンは、ＦＨＳＳホットスポット装置とペアリングし、複数の周波数（Ｂｌｕｅｔｏｏｔｈ（登録商標）物理チャネル）上で同時に通信してもよく、ＦＨＳＳホットスポット装置は、次に、装置の音声信号をブレンドし、ヘッドホンを、有線又は無線ネットワークに接続してもよく、それにより、例えば、ボイスオーバインターネットプロトコル（ボイスオーバＩＰ又はＶｏＩＰ）電話を容易にし得る。また、複数の他の個人用データ装置（例えば、スマートフォン）も、電子会議通話に参加するために、ＦＨＳＳホットスポット装置と、ペアリングして、装置と複数の周波数（Ｂｌｕｅｔｏｏｔｈ（登録商標）物理チャネル）上で同時に通信してもよい。
【０００８】
本開示の別の態様による、ＦＨＳＳホットスポット装置の送信機及び受信機（トランシーバ）は、広帯域アナログベースバンド（例えば、増幅器、フィルタ、データ変換器）及びＲＦ回路を利用してもよく、それを、他の共同設置された広帯域装置（例えば、ＷＬＡＮ）と共有して、装置コストを削減し、両装置の同時送信及び同時受信を可能にしてもよい。広帯域トランシーバにおける同相（Ｉ）及び直交（Ｑ）信号の非平衡から生じる、同じ周波数帯（例えば、ＷＬＡＮ、ＷＰＡＮ、ＤＥＣＴ及びマイクロ波装置）上で通信する装置の、場合によっては強力になることがある干渉を、緩和するために、及び送信規格／規制に従うために、同相（Ｉ）と直交（Ｑ）信号のための動的周波数選択平衡化技術は、デジタル的に実装されてもよい。
【０００９】
本開示の更に別の態様によると、ＦＨＳＳホットスポット装置トランシーバは、誤受信（即ち、同一チャネルデータの受信）を回避するために、限定期間、複数のＦＨＳＳ同一チャネル信号（即ち、同時に同じチャネルを共有するＦＨＳＳ信号）の少なくとも１つの受信及び／又は送信を無効にしてもよい。
【００１０】
本開示の更に別の態様による、ＦＨＳＳホットスポット装置受信機は、所与の周波数帯域上で確実に通信する可能性がある装置数を増大させるために、同時に受信される隣接ＦＨＳＳチャネル信号間の相互干渉を、少なくとも１つの干渉ＦＨＳＳ信号のパラメトリック推定を実行し、ＦＨＳＳ干渉信号（複数可）を、信号の推定されたパラメータを使用して再生成し、ＦＨＳＳの再生成された干渉信号（複数可）をアップ／ダウンコンバートし、その結果得られた信号を、受信された信号から減算して、所望のＦＨＳＳチャネル信号を受信することによって、緩和してもよい。
【００１１】
本開示の更に別の態様による、ＦＨＳＳホットスポット装置送信機は、所与の周波数帯域上で確実に通信する可能性がある装置数を増大させるために、同時に送信される隣接ＦＨＳＳチャネル信号間の相互干渉を、同時に送信される隣接ＦＨＳＳチャネル信号間の最小周波数分離を増大することによって、緩和してもよい。
【００１２】
本開示の別の態様による、ＦＨＳＳホットスポット装置送信機は、対応するＦＨＳＳ受信装置の応答を受信できるように、及び／又は相互チャネル干渉を抑制できるように、及び／又は送信規格／規制に違反するのを回避できるように、スケジュールされた送信インスタントに対して各ＦＨＳＳチャネル信号の送信を遅延してもよい。
【００１３】
本開示の別の態様による、ＦＨＳＳホットスポット装置リンクコントローラは、複数の周波数（ＦＨＳＳチャネル）上で同時に、定期的にシグナリングする（通信を制御する）ことによって、及び／又は複数の周波数（ＦＨＳＳチャネル）上で同時にシグナリングするためにスキャンすることによって、ＦＨＳＳ接続確立を迅速化してもよい。
【００１４】
本開示の別の態様による、ＦＨＳＳホットスポット装置は、データ送信用に割り振られた周期的な時間間隔をＦＨＳＳホットスポットのアプリケーションの関数であるバイナリＴＸ／ＲＸパターンに応じて、データの送信又は受信用に割り当てられる固定タイムスロットに、推測的に（ａ−ｐｒｉｏｒｉ）細分化することによって、及びそのデータパケット送信及び受信を、そのＴＸ／ＲＸパターンに応じてスケジューリングすることによって、ＦＨＳＳチャネルの同時送信及び受信を回避でき得る。
【００１５】
本開示の別の態様による、ＦＨＳＳホットスポット装置は、固定時間間隔（「ＦＨＳＳホットスポットポリシの時間間隔」）に時間を分割することによって、セッション中、更なるＦＨＳＳ装置に確実に接続できる可能性があり、固定時間間隔は、データの周期的な送信又は受信に割り当てられる第１サブ間隔と、通信を制御する、例えば、接続を確立するのに必要な非周期的／一回の送信又は受信に割り当てられる（及び／又は、両装置の同時通信を可能にするために、共同設置された装置（例えば、ＷＬＡＮ）通信に割り当てられる）第２サブ間隔に更に細分化されてもよい。
【００１６】
本開示の別の態様による、ＦＨＳＳホットスポット装置は、単一装置アドレス（例えば、Ｂｌｕｅｔｏｏｔｈ（登録商標）ＢＤ  ＡＤＤＲ）を使用して、その動作中に、単一のＦＨＳＳチャネル装置（例えば、Ｂｌｕｅｔｏｏｔｈ（登録商標）マスタ装置）として、既にＦＨＳＳホットスポット装置との結合を確立した（互いの適当なパラメータを不揮発性メモリに記憶することによって）ＦＨＳＳ装置に、接続できるようにしてもよい。
【００１７】
本開示の別の態様による、ＦＨＳＳホットスポット装置は、装置のＦＨＳＳチャネル信号の平均受信電力を均等化するマルチ装置電力制御技術を適用することによって、及び装置のＦＨＳＳチャネル信号の送信電力を均等することによって、所与の周波数帯域上で確実に動作する可能性がある装置の数を増大するために、隣接する信号間の相互干渉を更に緩和してもよい。
【００１８】
本開示の別の態様による、ＦＨＳＳホットスポット装置は、装置の周囲における可聴周囲ノイズを、複数の無線同期接続上で同時に受信される複数のＦＨＳＳ装置のマイクロホン信号を適切にブレンドすることによって、更に緩和してもよい。
【００１９】
本開示の別の態様による、ＦＨＳＳホットスポット装置は、ＦＨＳＳホットスポット装置のマイクロホン入力、及び／又は、ＦＨＳＳスピーカのマイクロホン入力に基づいて、音を制御する（例えば、音響ビーム形成、３Ｄサウンド）ために、装置に対して移動中のＦＨＳＳ装置のスピーカの音声ストリームの前記遅延及び音量を、継続的に適合してもよい。
【００２０】
本開示の別の態様による、ＦＨＳＳ装置（ＦＨＳＳホットスポット装置を含む）は、接続を失った各ＦＨＳＳ装置への再接続を遅延して、他のＦＨＳＳ装置を各ＦＨＳＳ装置に接続可能にしてもよい。
【００２１】
本開示の別の態様による、ＦＨＳＳ装置（ＦＨＳＳホットスポット装置を含む）は、近距離ＦＨＳＳ装置アドレス（例えば、Ｂｌｕｅｔｏｏｔｈ（登録商標）装置アドレス）を人と関連付け、まず人の関連近距離ＦＨＳＳ装置との接続を試みる（装置が、発見された場合で、且つ必要とされるサービスをサポートしている場合）ことによって、人との連絡を試みてもよい。
【００２２】
本開示の別の態様による、ＦＨＳＳ装置（ＦＨＳＳホットスポット装置を含む）は、人と連絡するのに必要とされる前記サービスをサポートする（従って、無線ブリッジとして機能する）、装置の付近にある信頼できるＦＨＳＳ装置にまず接続を試みることによって、人と連絡する際の電磁放射を低減してもよい。
【００２３】
以下に記載される本開示のこれらの及び他の態様は、単独及び／又は様々な組合わせで実装されてもよい。更に、様々な装置及び技術の実装は、ハードウェア、ソフトウェア、ファームウェア等、及び／又はそれらの組合わせの形としてもよい。
【００２４】
次に、本開示の様々な態様が、添付図と関連して記述される。
【図面の簡単な説明】
【００２５】
【図１Ａ】関連システムを示している。
【図１Ｂ】関連装置を示している。
【図２Ａ】本開示の様々な態様が動作してもよいシステムを示している。
【図２Ｂ】本開示の様々な態様が動作してもよいＦＨＳＳホットスポット装置の概念的ブロック図を示している。
【図２Ｃ】本開示の様々な態様が動作してもよいＦＨＳＳホットスポット装置の概念的ブロック図を示している。
【図２Ｄ】本開示の様々な態様が動作してもよいＦＨＳＳホットスポット装置の概念的ブロック図を示している。
【図３Ａ】本開示の一態様によるＦＨＳＳホットスポットのデジタルフロントエンドの概念的ブロック図を示している。
【図３Ｂ】本開示の一態様によるＦＨＳＳホットスポットのデジタルフロントエンドの概念的ブロック図を示している。
【図４Ａ】本開示の一態様によるＦＨＳＳホットスポット隣接チャネル除去モデムの概念的ブロック図を示している。
【図４Ｂ】本開示の一態様によるＦＨＳＳホットスポット隣接チャネル除去モデムの概念的ブロック図を示している。
【図５】本開示の一態様によるＦＨＳＳホットスポット送信遅延技術の一概念的実施例を示している。
【図６Ａ】本開示の一態様によるＦＨＳＳホットスポットのマルチチャネルシグナリング周波数選択及びスケジューリング技術の概念的実施例を示している。
【図６Ｂ】本開示の一態様によるＦＨＳＳホットスポットのマルチチャネルシグナリング周波数選択及びスケジューリング技術の概念的実施例を示している。
【図７】本開示の一態様によるＦＨＳＳホットスポット装置のＴＸ／ＲＸパターン及びＦＨＳＳクロック生成の概念的実施例を示している。
【図８Ａ】複数の市販のＦＨＳＳ装置と同時に通信するＦＨＳＳホットスポットの概念的実施例を示している。
【図８Ｂ】複数の市販のＦＨＳＳ装置と同時に通信するＦＨＳＳホットスポットの概念的実施例を示している。
【図９】本開示の一態様による複数のＦＨＳＳ装置のＦＨＳＳホットスポット電力制御技術の概念的フローチャートを示している。
【図１０】本開示の一態様によるＦＨＳＳホットスポットの可聴周囲ノイズキャンセルの概念的ブロック図を示している。
【図１１】本開示の一態様による、ＦＨＳＳホットスポットの適応型音響ビーム形成の概念的ブロック図を示している。
【図１２】本開示の態様による、装置に接続する方法の概念的フローチャート及び人と連絡する概念的フローチャートを示している。
【図１３】本開示の一態様による、近距離装置を連絡先と関連付けるための概念的ユーザインタフェースを示している。
【発明を実施するための形態】
【００２６】
次に、本開示の様々な態様が、添付図を参照して記載される。図形については、様々な実施形態の主題を説明するかも知れないが、正確な縮尺ではない、又は寸法通りではないかも知れない。
【００２７】
図１Ａは、標準的なＢｌｕｅｔｏｏｔｈ（登録商標）システムの構成を示している。携帯電話（スマートフォンとしてもよい）、タブレットコンピュータ、又は他の個人用装置２は、１つ又は複数の周辺Ｂｌｕｅｔｏｏｔｈ（登録商標）規格装置３と無線接続されてもよく、装置３は、無線ヘッドセット、無線スピーカ、無線キーボード又は他の入力及び／又は出力（Ｉ／Ｏ）装置を含んでもよいが、それらに限定されない。例えば、Ｂｌｕｅｔｏｏｔｈ（登録商標）仕様に従い、異なる装置３は、装置２と「ペアリングされる」が、その際、装置２をマスタとしてもよく、装置３をスレーブとしてもよい。スレーブ装置は、マスタ装置によって調整されてもよい技術を使用して、マスタと通信してもよい。Ｂｌｕｅｔｏｏｔｈ（登録商標）プロトコルの能力が、マスタ装置を複数のスレーブ装置に接続できるものであっても、Ｂｌｕｅｔｏｏｔｈ（登録商標）チャネルの限定帯域幅（容量）のために、同時に２つのＢｌｕｅｔｏｏｔｈ（登録商標）スレーブ装置だけが確実に音声を通信でき得る、及び１つのＢｌｕｅｔｏｏｔｈ（登録商標）スレーブ装置だけが、装置２から視聴覚（ＡＶ）コンテンツを確実にストリーミングでき得る。
【００２８】
図１Ｂは、Ｂｌｕｅｔｏｏｔｈ（登録商標）装置３と通信でき、且つ様々な既知の共存技術（例えば、時分割、適応型周波数ホッピング）を使用することで、場合によっては同時にＷＬＡＮ装置とも通信できるモバイル装置２の概念図を示している。
【００２９】
図２Ａは、本開示の一態様によるＦＨＳＳ−ＭＡシステム構成を示している。以前には、図１Ａでのように、個人用装置２を通して通信できただけかも知れない複数のＦＨＳＳ周辺装置３（例えば、複数のＢｌｕｅｔｏｏｔｈ（登録商標）装置）は、ＦＨＳＳホットスポット装置１に無線接続されてもよく、同時にあらゆる種類のマルチメディアコンテンツ（データ、音声、オーディオ及びビデオ）を複数の周波数で、同時に通信でき得る、及び／又は、放送装置（例えば、ラジオ、テレビ、メディアプレーヤ）と連動して、コンテンツをストリーミングでき得る、及び／又は、更なる個人用ホスト装置を周辺装置と共に運搬する必要無く、ローカライズされたマルチ装置マルチメディアセッション（例えば、電話会議セッション、ゲームセッション、ストリーミングセッション）を確立でき得る。かかる無線接続は、Ｂｌｕｅｔｏｏｔｈ（登録商標）ネットワークにおけるペアリングプロセスと同様の方法で実行されてもよい；しかしながら、本発明は、そうした方法に限定されず、他のＦＨＳＳ−ＭＡプロトコルが使用されてもよい。同様に、スマートフォン及びタブレットコンピュータ２等の、しかしこれらに限定されない、他の個人用ＦＨＳＳ装置も、ＦＨＳＳホットスポット装置１に無線接続されてもよい。ＦＨＳＳホットスポット装置１は、１つ又は複数のＷＬＡＮ及び／又はセルラネットワーク４に接続を提供して、接続された装置２、３が、例えば、遠隔設置された装置と通信できるようにしてもよい。例えば、ＷＬＡＮ又はセルラ４は、インターネット、又は幾つかの他の通信ネットワーク、又は一方向及び／又は双方向マルチメディア通信を含んでもよい他の種類の通信を用いて、ＶｏＩＰ通話を可能にしてもよい。
【００３０】
図２Ｂ及び図２Ｃは、ＦＨＳＳホットスポット装置１の概念図を示している。装置は、複数のＦＨＳＳ装置（例えば、Ｂｌｕｅｔｏｏｔｈ（登録商標）装置）と、あらゆる種類のマルチメディアコンテンツ（データ、音声、オーディオ及びビデオ）を複数の周波数上で通信するために、本開示の様々な態様によるＦＨＳＳホットスポット機能（強調表示されたマルチチャネルＦＨＳＳデジタルベースバンド回路５、ＲＸ及びＴＸ広帯域デジタルフロントエンド回路１０、１０'及びアプリケーション及びプロトコル処理１８に分散される）を含む。また、装置１は、様々な既知の共存する技術（例えば、時分割、適応型周波数ホッピング）を使用することによって、ＷＬＡＮ装置と同時に通信してもよい。本開示の一態様によると、同じ広帯域のアナログフロントエンド及びＲＦは、マルチチャネルＦＨＳＳとＷＬＡＮ通信の両方用に使用されてもよく、両通信共、ＲＸ及びＴＸデジタルフロントエンド１０、１０'にデジタル的に実装されてもよい同相信号（Ｉ）及び直交信号（Ｑ）に対する平衡技術を必要とし得る。
【００３１】
図２Ｄは、データプレーン及び制御プレーンを含む装置１に含まれるＦＨＳＳホットスポット機能の概念図を示している。ＦＨＳＳホットスポット機能の実装については、以下で、図２Ｄと記述される他の図の両方を参照して、更に説明される。
【００３２】
図３Ａ及び図３Ｂは、本開示の様々な態様によるマルチチャネルＦＨＳＳ（及びＷＬＡＮ）通信をサポートするデジタルフロントエンドを含むトランシーバの実施例を示している。図３Ａは、トランシーバの受信側である図２Ｄのデジタルフロントエンド装置１０の実施例を示しており、それに対して図３Ｂは、トランシーバの送信側である図２Ｄのデジタルフロントエンド装置１０'の実施例を示している。Ｘと付番した装置にアポストロフィを付ける（Ｘ'）ことによって、テキストは、受信装置Ｘに対応する送信装置を指すことに注意されるべきである。図３Ａの装置１０と図３Ｂの装置１０'（又は、本課題のための同様な機能を有する送信装置と受信装置の任意の対）は、個別な装置としてもよい、又は組合されてもよい、及び少なくとも幾つかの構成要素を共有してもよいと、理解されるべきである。例えば、アンテナが、共有されてもよい。スイッチ、サーキュレータ、デュプレクサ又は他の多重化装置（図示せず）が、アンテナを共有するために、挿入されてもよい。
【００３３】
図３Ａでは、無線周波数（ＲＦ：ｒａｄｉｏ  ｆｒｅｑｕｅｎｃｙ）信号は、標準的な直接変換広帯域無線受信機アーキテクチャ１００を使用して、受信されてもよい。受信信号は、１つ又は複数の増幅段階（２段階が示されているが、それより少ない又は多い段階であってもよい）を使用して、フィルタリング及び増幅されてもよい。その結果は、ＲＦ−ＣＩＦミキサで、周波数発生器によって発生した信号Ｆｃ（ｔ）と混合されて、ＲＦ信号を、同相成分（Ｉ）及び直交成分（Ｑ）を有する、複素中間周波数（ＣＩＦ）信号に変換してもよく、両成分は、ローパスＩ成分及びＱ成分を保持するようにローパスフィルタリングされてもよい。次に、ローパスＩ信号及びＱ信号成分は、ＡＤ変換器（ＡＤＣ：ａｎａｌｏｇ−ｔｏ−ｄｉｇｉｔａｌ  ｃｏｎｖｅｒｔｅｒ）に入力され、デジタル形式に変換されて、受信機のデジタルフロントエンド１０に入力されてもよい。値は、デジタル化されたＩ成分及びＱ成分に、直流オフセットキャンセル（ＤＣＯＣ：ｄｉｒｅｃｔ−ｃｕｒｒｅｎｔ  ｏｆｆｓｅｔ  ｃａｎｃｅｌｌａｔｉｏｎ）回路１０１が、局部発振器（ＬＯ：ｌｏｃａｌ  ｏｓｃｉｌｌａｔｏｒ）搬送波リーク抑制回路としても機能することによって、加えられてもよい。様々な直流／搬送波オフセットキャンセル技術が、当技術分野で知られており、本明細書で使用される技術は、如何なる特定の技術にも限定されない。
【００３４】
ＤＣ／搬送波リーク抑制回路１０１のデジタルＩ及びＱ出力信号は、デジタルポストディストーション（ＤＰＤ：ｄｉｇｉｔａｌ  ｐｏｓｔ  ｄｉｓｔｏｒｔｉｏｎ）回路に供給され、続いて、ＮｃｈのＦＨＳＳホッピングシーケンス（物理チャネル）に対応する、Ｎｃｈ（例えば、１６）の並列信号経路に供給されてもよい。Ｎｃｈの並列信号経路は、第１並列信号経路を使用して記載されるが、他の信号経路は、様々なパラメータ（例えば、周波数及び係数）を除いて、実質的に同一としてもよいと理解されるべきである。
【００３５】
第１並列信号経路では、ＤＣ／搬送波リーク抑制回路１０１（又は、有る場合には、ＤＰＤ回路）のデジタルＩ及びＱ出力信号が、Ｉ／Ｑ非平衡補正ブロック１０２のＩ及びＱ入力に供給されてもよい。Ｉ／Ｑ非平衡補正ブロックは、係数メモリ１０３（ルックアップテーブルとしてもよい）から一組の係数ＩＱＣ1を受信してもよく、その際、係数ＩＱＣ1は、第１チャネル周波数ホッピング波形周波数Ｆ1（ｔ）の関数（即ち、ＩＱＣ1（ｔ）＝ｆ（Ｆ1（ｔ））又は単にＩＱＣ1＝ｆ（Ｆ1））として動的に選択されてもよい。係数ＩＱＣ1＝ｆ（Ｆ1）は、係数演算ブロック１０４で、必要に応じて演算され、周波数Ｆ1に対応するメモリアドレスに記憶されてもよい。ブロック１０４について、メモリ、ルックアップテーブル、又は演算ブロックのいずれかは、各並列信号経路毎に別々のブロックとしてもよい、或いは２つ以上のＮｃｈ並列信号経路間で共有されてもよい；メモリ又はルックアップテーブルの形で、係数メモリ１０３と更に共有されてもよい点に注意されたい。複数のＩ／Ｑ非平衡補正技術が、当技術分野で知られており、本発明の概念は、そうした技術のいかなる特定の１つにも限定されない点にも注意されたい。図２Ｄにおける周波数選択ボックス１３は、係数メモリブロック１０３及び係数演算ブロック１０４に、及びＣＩＦ−ＺＩＦミキサ１０５を供給する周波数発生器に供給されてもよいＦ1又はＦ1の任意の他の中間関数（例えば、実際の周波数の代わりにメモリアクセス用周波数インデックスを使用する）を生成するのに使用されてもよい。Ｆ1（ｔ）は特定のデジタルホッピング正弦波を表してもよい。ＣＩＦ−ＺＩＦミキサ１０５は、Ｉ／Ｑ非平衡補正ブロック１０２から補正されたＩ信号及びＱ信号を受信してもよく、これらの信号を、デジタルホッピング正弦波としてもよいＦ1（ｔ）と混合して、ＣＩＦのＩ信号及びＱ信号を、略ゼロ中間周波数（ＺＩＦ：ｚｅｒｏ−ｉｎｔｅｒｍｅｄｉａｔｅ  ｆｒｅｑｕｅｎｃｙ）のＩ信号及びＱ信号に変換してもよい。次に、ＺＩＦのＩ信号及びＱ信号は、ローパスフィルタリング及び間引きされ１０６、対応するモデム（第１信号経路に対してＦＨＳＳ1と示された）に供給され、モデムで、結果として得られた信号は、復調されてもよく、データは、導出され、図２Ｄに示されたようなマルチチャネルＦＨＳＳデジタルベースバンド装置５の上位層に、及び更なるプロトコル及びアプリケーション処理１８へと送られてもよい。
【００３６】
Ｉ／Ｑ非平衡補正の概念的な実施例が、ボックス１０７、１０８内に示されている；ボックス１０７では、無線機１００から受信された信号のパワースペクトル密度は、弱いＦＨＳＳ信号と同時に受信された強いＷＬＡＮ信号を示している。直接変換無線Ｉ／Ｑ経路の非平衡のために、ＷＬＡＮ信号が、ＦＨＳＳ信号の受信を干渉している。各ＦＨＳＳチャネル電流周波数での非平衡が、Ｉ／Ｑ非平衡補正ブロック１０２によって補正されると、ＷＬＡＮの干渉は、ボックス１０８内で示されたように、弱められる。
【００３７】
図３Ａでは、２つ以上の周波数ホッピング波形周波数Ｆi（ｔ）、Ｆj（ｔ）は、それらの選択がランダム性（例えば、Ｂｌｕｅｔｏｏｔｈ（登録商標）周波数ホッピングの選択は、擬似ランダムである）のために、同一であり得る。かかるシナリオでは、経路ｉ及びｊからの着信データを受信可能にすることは、同一チャネル信号の誤受信を回避するには、望ましくない可能性があり、パワー制御ブロック１０９は、図２Ｄに示された装置マネージャ１５によって設定された優先順位（経路間の比較測定（例えば、パワーレベル、ビットエラー率、同期／非同期データ）に基づいてもよい）に応じて、両経路上で又は特定の経路上で（例えば、対応する受信経路の振幅Ａｉ及び／又はＡｊを制御することによって）、受信を無効にしてもよい。
【００３８】
図３Ｂで示されたようなトランシーバの送信側のデジタルフロントエンド装置１０'は、同様な方法だが、トランシーバの受信側のデジタルフロントエンド装置１０とは逆に、動作してもよい。特に、モデムからのデジタルＺＩＦのＩ信号及びＱ信号（ここでもまた、説明目的のために、送信側の第１並列信号経路を使用し、これを、ＦＨＳＳ1としてもよい）は、補間及びフィルタリングされてもよく１０６'、その結果は、ＺＩＦ−ＣＩＦミキサ１０５'に供給されてもよく、ミキサで、結果は、図２Ｄにおける周波数選択ボックス１３によって設定された周波数Ｆ1を有するデジタル周波数ホッピング波形と混合されて、ＣＩＦのＩ信号及びＱ信号を生成してもよい。ＣＩＦのＩ信号及びＱ信号は、Ｉ／Ｑ非平衡補正ブロック１０２'に供給されてもよく、ブロック１０２'で、ＣＩＦ  のＩ信号及びＱ信号は、係数メモリ（又は、上述されたような発生器）１０３'から得られた係数を使用して補正されてもよい。複数のＩ／Ｑ非平衡補正技術が当技術分野で知られており、本発明の概念は、これらの技術の如何なる特定の１つに限定されない点に、再度注意されたい。次に、Ｎｃｈの並列信号経路からのＩ信号及びＱ信号は、デジタルプレディストーション（ＤＰＤ：ｄｉｇｉｔａｌ  ｐｒｅ  ｄｉｓｔｏｒｔｉｏｎ）回路に、加えられ、供給されて、搬送波リーク抑圧ブロック１０１'に供給されてもよい。
【００３９】
次に、こうして補償されたデジタル信号は、標準的な直接変換広帯域無線送信機アーキテクチャ１００'を使用して送信されてもよい。信号のＩ成分及びＱ成分は、デジタル／アナログ変換器（ＤＡＣ：ｄｉｇｉｔａｌ−ｔｏ−ａｎａｌｏｇ  ｃｏｎｖｅｒｔｅｒ）に供給され、変換されてもよく、次に、ＤＡＣのアナログＩ信号及びＱ信号出力は、ローパスフィルタリングされ、ＣＩＦ−ＲＦミキサで、搬送波周波数信号Ｆｃ（ｔ）と混合され、増幅されて、アンテナを介して送信されてもよい。
【００４０】
Ｉ／Ｑ非平衡補正の概念的な実施例が、ボックス１０７'、１０８'内に示されている；ボックス１０７'では、無線機１００'から送信された信号のパワースペクトル密度は、同時に送信された複数のＦＨＳＳ信号から成る複合ＦＨＳＳ−ＭＡ信号を示している。直接変換無線Ｉ／Ｑ経路の非平衡は、通信規格及び／又は規制を満たさない可能性がある不所望な画像送信を発生させている。これらＦＨＳＳチャネルの其々における非平衡が、各チャネルの各Ｉ／Ｑ非平衡補正ブロック１０２'によって補正されると、不所望な画像信号は、ボックス１０８'内で示されたように、弱められる。
【００４１】
図３Ｂでは、２つ以上の周波数ホッピング波形周波数Ｆi（ｔ）、Ｆj（ｔ）は、それらの選択がランダム性（例えば、Ｂｌｕｅｔｏｏｔｈ（登録商標）周波数ホッピングの選択は、擬似ランダムである）であるために、同一であり得る。かかるシナリオでは、経路ｉ及びｊにおけるデータの送信を可能にすることは、同一チャネルの誤受信を回避するのには、望ましくない可能性があり、パワー制御ブロック１０９'は、図２Ｄに示された装置マネージャ１５によって設定された優先順位（経路間の比較測定（例えば、パワーレベル、ビットエラー率、同期／非同期データ）に基づいてもよい）に応じて、両経路上で又は特定の経路上で（例えば、対応する送信経路の振幅Ａｉ及び／又はＡｊを制御することによって）、送信を無効にしてもよい。
【００４２】
また更なる実施例では、図３Ａ〜図３Ｂで示したように、ＦＨＳＳホットスポット１は、共通の周波数を利用して、ＦＨＳＳホットスポット及び併置されるＷＬＡＮ装置の機能を再配置してもよい。ＷＬＡＮは、ＦＨＳＳ−ＭＡと同じ周波数帯域でサポートされる（例えば、ＷＬＡＮとＢｌｕｅｔｏｏｔｈ（登録商標）は、２．４ＧＨｚ帯域を共有する）；従って、図３Ａ〜図３Ｂで示されるように、ＷＬＡＮ及びＦＨＳＳホットスポットは、共通の広帯域デジタルフロントエンド１０、１０'、即ち２．４ＧＨｚアナログＲＦ回路を使用してもよい点に注意されたい。共通の広帯域２．４ＧＨｚアナログＲＦ回路を使用する可能性は、全２．４ＧＨｚ帯域（即ち、〜８０ＭＨｚ帯域幅）がアナログ回路によってサポートされ得ることによって、高められ、その結果、当帯域にＷＬＡＮを収容する更なるデジタル処理能力を簡単に含むことが可能になり得る。
【００４３】
図３Ａ及び図３Ｂで示されたようなデジタルフロントエンドの１つ又は複数の動作は、１つ又は複数のプロセッサ及び１つ又は複数のプロセッサに動作（例えば、係数計算１０４、１０４'）を実装させてもよい関連ソフトウェア命令を用いて、実装されてもよい点に更に注意されたい。
【００４４】
図４Ａ、図４Ｂは、ＦＨＳＳホットスポット隣接チャネル除去モデムの概念的なブロック図を示している。従来のＦＨＳＳモデム（変復調装置）の、密集したチャネル配備における隣接するチャネルの干渉（例えば、クラシックＢｌｕｅｔｏｏｔｈ（登録商標）では、チャネル帯域幅は、信号帯域と略等しい）に対するイミュニティが低いため、所与の帯域で同時に通信してもよいＦＨＳＳ装置の数が、少な過ぎて、特定のマルチ装置用途をサポートできない恐れがある。同時に通信してもよい装置の数を増大するために、ＦＨＳＳ隣接チャネル干渉を除去できるモデムを開発するのが、望ましいかも知れない。かかるモデムは、隣接チャネル除去（ＡＣＲ：ａｄｊａｃｅｎｔ−ｃｈａｎｎｅｌ−ｒｅｊｅｃｔｉｎｇ）モデムと呼ばれる。
【００４５】
図４Ａは、図２Ｄのデジタルフロントエンド装置１０の各デジタル受信経路ｃｈによって供給される各ＡＣＲモデム装置１１の概念図を示している。図４Ｂの干渉キャンセラ装置１１２は、干渉キャンセラ制御装置１１３によって、まず無効にされ、それにより効率的に迂回され、着信信号が、ＦＨＳＳ復調装置１１０に直接出力されるようにしてもよい。各ＦＨＳＳ信号が検出され、復調装置１１０が信号を復調し始めると、ＦＨＳＳ信号パラメータ推定装置１１１は、ＦＨＳＳ信号の再変調に適するＦＨＳＳ信号のパラメータを更新するが、パラメータは、信号の振幅、遅延、位相、シンボルレート、変調インデックス（例えば、Ｂｌｕｅｔｏｏｔｈ（登録商標）クラシックでは、０．２８〜０．３５の間で可変としてもよい）、マッチドフィルタのミスマッチ及び受信データを含むが、これらに限定されない。次に、信号は、推定パラメータを使用して、各ＦＨＳＳ変調装置１１０'（図４Ａで示されたような送信中に使用されるのと同じ変調器としてもよい）を使用して、再生成される。
【００４６】
各受信信号に隣接する信号が検出、復調、及び再生成されると、隣接する信号が各受信信号より強い場合には、干渉キャンセラ装置１１２は、干渉キャンセラ制御装置１１３によって、隣接するチャネルの干渉が緩和されるように（図４Ｂで、ボックス１１５内で示されたように）有効にされてもよい。２つ以上の干渉キャンセラ装置１１２は、連結されて、改良されたシリアル干渉キャンセラを形成してもよい。
【００４７】
マルチチャネルＦＨＳＳ送信中、２つの隣接するチャネルの各ＦＨＳＳ変調器１１０'（又は、送信デジタルフロントエンド装置１０'にある隣接チャネルの各アップコンバータ）は、図４Ａのボックス１１４内で示されたように、搬送波周波数分離を、受信機によって許容される搬送波周波数公差の最大２倍まで増大することによって、隣接チャネル間の相互干渉を低減してもよい。干渉キャンセラ制御装置１１３は、各搬送波周波数オフセットｄＦchを設定してもよい。
【００４８】
図４Ａ及び図４Ｂで示されたように、ＦＨＳＳ隣接チャネル除去（ＡＣＲ）モデム装置１１の１つ又は複数の動作は、１つ又は複数のプロセッサ、及び１つ又は複数のプロセッサに、動作（例えば、ＦＨＳＳ信号パラメータの推定）を実装させてもよい関連ソフトウェア命令を用いて、実装されてもよい点に、更に注意されたい。
【００４９】
図５は、同時にパケットを送信するＮｃｈ（例えば、７）のＦＨＳＳ送信経路の、２つの概念的な実施例を示している。両事例では、図２Ｄのパケットプロセッサ１２'によって出力された各ＦＨＳＳ送信経路のパケット１２０は、他のＦＨＳＳ送信経路パケットより短い持続時間を有する。第１実施例では、全パケットは、同じＴＸ時点（ｉｎｓｔａｎｔ）で送信されるようにスケジュールされる（装置マネージャ１５によって設定されてもよい）；その結果、各受信経路は、ＦＨＳＳホットスポット半二重動作（即ち、時分割複信（ＴＤＤ：ｔｉｍｅ−ｄｉｖｉｓｉｏｎ−ｄｕｐｌｅｘ））の場合に、各ＦＨＳＳ装置の確認応答１２１を受信できないかも知れない。
【００５０】
第２の事例では、各ＦＨＳＳ送信経路パケットプロセッサ１２'は、そのパケット送信を遅延１２１（例えば、Ｂｌｕｅｔｏｏｔｈ（登録商標）クラシックの場合では、遅延１２１は、１．２５ミリ秒（図示されたようなＢｌｕｅｔｏｏｔｈ（登録商標）クラシックの２スロット）又は２．５ミリ秒（Ｂｌｕｅｔｏｏｔｈ（登録商標）クラシックの４スロット）して、ＴＤＤのＦＨＳＳホットスポット装置が既に受信に切替えられた後に、各ＦＨＳＳ装置が、装置の受信を確認応答できるようにし、その結果、装置自体が、確認応答パケット１２２を確実に受信でき、且つ再送信を回避できるようにしてもよい。
【００５１】
正確なパケット遅延設定で、より短いパケットとより長いパケット（例えば、Ｂｌｕｅｔｏｏｔｈ（登録商標）クラシックの１スロットパケット及び３スロットパケット）の両方を使用して、同時に通信できることによって、通常短いリンク制御及び管理パケットは、より長いデータパケットと同時に送信されてもよい。これは、幾つかのＦＨＳＳホットスポットチャネルが、チャネルの装置の制御及び管理に占領されている場合に、他のＦＨＳＳチャネルは、チャネルのデータ転送速度を下げる必要はない可能性を示唆している。
【００５２】
正確なパケット遅延設定で、より短いパケットとより長いパケット（例えば、Ｂｌｕｅｔｏｏｔｈ（登録商標）クラシックでの１スロットパケット及び３スロットパケット）の両方を使用して、同時に通信できることによって、単独のセッション型以上がサポートされ得る（ハイブリッドセッション）。例えば、ヒューマンインタフェース装置（ＨＩＤ：ｈｕｍａｎ  ｉｎｔｅｒｆａｃｅ  ｄｅｖｉｃｅ）（例えば、マウス／キーボード／コントローラ）プロファイルをサポートするクラシックＢｌｕｅｔｏｏｔｈ（登録商標）装置は、同時に、高度オーディオ配信プロファイル（Ａ２ＤＰ：ａｄｖａｎｃｅｄ  ａｕｄｉｏ  ｄｉｓｔｒｉｂｕｔｉｏｎ  ｐｒｏｆｉｌｅ）をサポートするクラシックＢｌｕｅｔｏｏｔｈ（登録商標）装置と通信してもよい。
【００５３】
各送信経路のパケットプロセッサ１２'は、他の送信経路パケットプロセッサ出力に対して、その出力を遅延１２４して、送信経路の同時送信を回避してもよい（従って、規格／規制のスペクトルマスク要件に違反するのを回避してもよい）、及び／又は、干渉キャンセラ装置１１２の連結を可能にすることによって、図４Ａ、図４Ｂで示されたＡＣＲモデムの改善された動作を可能にしてもよい（受信信号間の各遅延により可能になる）。
【００５４】
図６Ａ、図６Ｂは、ＦＨＳＳホットスポットのマルチチャネルシグナリング及びマルチチャネルスキャン周波数選択、及びスケジューリング技術の概念的な実施例を示している。図６Ａは、図２Ｄの各ＦＨＳＳチャネルｃｈ周波数選択ボックス１３の概念的な実施例を示している。進行中のマルチ装置セッション中にＦＨＳＳ装置への接続を迅速化するために、ＦＨＳＳホットスポット装置は、シグナリング中及び／又はスキャン中に、マルチプレクサ１３０及びデジタル経路インデックスｃｈをパラメータとする関数１３１を使用して、装置のＦＨＳＳチャネルを異なる周波数（チャネル）に割り当ててもよい。
【００５５】
クラシックＢｌｕｅｔｏｏｔｈ（登録商標）の特定の場合では、Ｎｃｈ＝１６のＦＨＳＳチャネルを使用することによって、図２ＤにおけるＦＨＳＳホットスポット装置リンクコントローラ１４は、図６Ｂのボックス１４０、１４１中に示されているように、単一のＢｌｕｅｔｏｏｔｈ（登録商標）タイムスロット（６２５マイクロ秒）内にシグナリングに割り振られた３２周波数全てで信号を送り、図６Ｂのボックス１４２中に示されているように、単一のＢｌｕｅｔｏｏｔｈ（登録商標）タイムスロット（６２５マイクロ秒）内にシグナリング応答に割り振られた３２周波数全てをスキャンしてもよい。信号及びスキャンを、最小ＦＨＳＳ装置スキャン持続時間（〜１０ミリ秒）以下の間隔ＴＰＯＬＩＣＹ毎に繰り返すことによって、スキャンＦＨＳＳ装置とＦＨＳＳホットスポットが、進行中のマルチ装置セッション中に、数分の１秒以内に、シグナリングと接続を交換できる蓋然性が高い。
【００５６】
Ｂｌｕｅｔｏｏｔｈ（登録商標）Ｌｏｗ  Ｅｎｅｒｇｙの特定の場合では、図６Ｂのボックス１４２内で示されたように、ＦＨＳＳホットスポット装置１は、複数のＦＨＳＳ装置の広告パケットに対してスキャンするために３つのＦＨＳＳチャネルを割り振ってもよい。広告パケットに対するスキャンと並行して、ＦＨＳＳホットスポット装置１は、他の装置と通信してもよい。かかるマルチチャネルの周期的なスキャンは、接続を迅速化する、及び／又は、ＦＨＳＳ装置の消費電力（例えば、場合によっては、それらの広告間隔を３倍も）低減し得る。
【００５７】
図７は、ＦＨＳＳホットスポットＴＤＤ装置マネージャ１５のＴＸ／ＲＸパターン及びＦＨＳＳクロック生成の概念的な実施例を示している。ＦＨＳＳホットスポット装置１は、データ送信用に割り振られた周期的な時間間隔（クラシックＢｌｕｅｔｏｏｔｈ（登録商標）で３．７５ミリ秒）をＦＨＳＳホットスポットのアプリケーションの関数１５１として、バイナリＴＸ／ＲＸパターンの推測的なセットに応じて、データの送信又は受信用に割り当てられる固定タイムスロット（例えば、クラシックＢｌｕｅｔｏｏｔｈ（登録商標）で６２５マイクロ秒）に、推測的に細分化することによって、及びそのデータパケット送信及び受信の全てを、そのＴＸ／ＲＸパターンに応じてスケジューリングすることによって、各送信経路及び受信経路の同時送信及び受信を回避でき得る。
【００５８】
対応するクラシックＢｌｕｅｔｏｏｔｈ（登録商標）のマルチ装置用途をサポートするためのＦＨＳＳホットスポットのＴＸ／ＲＸパターンの６つの異なる実施例が、図７のボックス１５２中に示されている。ＴＸ／ＲＸバイナリパターンの長さは、６に設定されており、周期的な３．７５ミリ秒のデータ送信時間間隔で割り振られた６つのタイムスロットに対応している。音声会議用途では、例えば、割り当てられるＴＸ／ＲＸパターンは、対称的なＴＸとＲＸデータレート（６４Ｋｂｐｓ）のために、及び求められる高信頼性（３．７５ミリ秒で最大２パケット反復）のために、｛１  ０  １  ０  １  ０｝である。
【００５９】
ＦＨＳＳホットスポット装置は、単一装置アドレス（例えば、Ｂｌｕｅｔｏｏｔｈ（登録商標）ＢＤ  ＡＤＤＲ）を使用して、その動作中に、単一のＦＨＳＳチャネル装置  （例えば、Ｂｌｕｅｔｏｏｔｈ（登録商標）のマスタ装置）として、既にＦＨＳＳホットスポット装置との結合を確立した（互いの適当なパラメータを非揮発性メモリに記憶することによって）ＦＨＳＳ装置に、接続できるようにしてもよい。その結果、ホップ周波数が、ＦＨＳＳ装置アドレスとＦＨＳＳクロックの両方の関数である（クラシックＢｌｕｅｔｏｏｔｈ（登録商標）において等）場合、全てのＦＨＳＳ接続に対して、共通のＦＨＳＳクロックを使用して、チャネル周波数の重複を抑制することは可能ではないかも知れない。それでもＦＨＳＳ接続のＴＸ／ＲＸパターンを合わせられるように、ＦＨＳＳクロック間の関係は、ボックス１５０に示された通りとしてもよい；ＦＨＳＳクロックは、データ送信に割り振られた時間間隔（例えば、３．７５ミリ秒）以上である時間間隔Ｔｐｏｌｉｃｙ（例えば、Ｂｌｕｅｔｏｏｔｈ（登録商標）クラシックのＴｐｏｌｉｃｙは、通常７．５ミリ秒である）の整数倍だけ互いに対して周期的にオフセットされる。
【００６０】
ＦＨＳＳホットスポット装置は、固定時間間隔Ｔｐｏｌｉｃｙ（「ＦＨＳＳホットスポットポリシの時間間隔」）に時間を分割することによって、セッション中、更なるＦＨＳＳ装置に迅速に接続でき得る。固定時間間隔Ｔｐｏｌｉｃｙは、ＴＸ／ＲＸパターンに応じてデータの周期的な送信又は受信に割り当てられる第１サブ間隔と、通信を制御する、例えば、接続を確立するのに必要な非周期的／一回の送信又は受信に割り当てられ（及び／又は、両装置の同時通信を可能にするために、共同設置された装置（例えば、ＷＬＡＮ）通信に割り当てられる）第２サブ間隔に更に細分化されてもよい。
【００６１】
図８Ａ、図８Ｂは、複数のＢｌｕｅｔｏｏｔｈ（登録商標）装置とのＦＨＳＳホットスポット装置の同時通信の概念的な実施例を示している。図８Ａは、複数のＢｌｕｅｔｏｏｔｈ（登録商標）クラシック装置とのＦＨＳＳホットスポット装置の同時通信を示し、図８Ｂは、複数のＢｌｕｅｔｏｏｔｈ（登録商標）Ｌｏｗ  Ｅｎｅｒｇｙ装置とのＦＨＳＳホットスポット装置の同時通信を示している。
【００６２】
図８Ａでは、Ｔｐｏｌｉｃｙ１５３は、７．５ミリ秒と等しく、データ送信間隔１５４は、３．７５ミリ秒と等しく、Ｎｃｈは、１６と等しい。非周期的な／一回の送信１５５のために割り当てられた期間は、Ｔｐｏｌｉｃｙ−データ送信間隔＝３．７５ミリ秒であり、通信を制御するために使用される。ＦＨＳＳホットスポット装置は、図６Ｂのボックス１４０、１４１内で示されたように、問い合わせ及びページングによって通信を開始する。次に、ＦＨＳＳホットスポット装置は、数秒以内に、全てのＢｌｕｅｔｏｏｔｈ（登録商標）クラシック接続が確立されてもよいように、順次接続を確立する。
【００６３】
図８Ｂでは、Ｔｐｏｌｉｃｙ１５３'は、７．５ミリ秒と等しく、データ送信間隔１５４'は、〜３．７５ミリ秒と等しく、Ｎｃｈ＞＝３である。非周期的な／一回の送信１５５'のために割り当てられた期間は、Ｔｐｏｌｉｃｙ−データ送信間隔＝〜３．７５ミリ秒であり、通信を制御するために使用される。ＦＨＳＳホットスポット装置は、図６Ｂのボックス１４２内で示されたように、広告パケットに対するマルチチャネルスキャンによって通信を開始する。次に、ＦＨＳＳホットスポット装置は、数分の１秒以内に、全てのＢｌｕｅｔｏｏｔｈ（登録商標）Ｌｏｗ  Ｅｎｅｒｇｙ接続が確立されてもよいように、順次接続を確立する。この実施例は、ＦＨＳＳホットスポット装置１に接続された全てのＢｌｕｅｔｏｏｔｈ（登録商標）Ｌｏｗ  Ｅｎｅｒｇｙ装置のパケットペイロード長が同一である（例えば、２０バイト）と仮定している。
【００６４】
図９は、各ＦＨＳＳ装置（例えば、Ｂｌｕｅｔｏｏｔｈ（登録商標）装置）のＦＨＳＳホットスポット電力制御技術の概念的なフローチャート１６１を示している。ＦＨＳＳホットスポット装置のリンクマネージャ１６は、装置のＦＨＳＳ接続の平均受信電力と平均送信電力を均等化するマルチ装置電力制御技術を適用することによって、所与の周波数帯域上で確実に動作する可能性がある装置の数を増大するために、隣接する信号間の相互干渉を緩和してもよい。リンクマネージャ１６は、送信電力制御機能をサポートするＦＨＳＳ装置の送信電力を制御だけしてもよい。受信側の目標信号レベルは、ボックス１６０内で示されたように設定されてもよい；各ＦＨＳＳ装置の送信電力が境界１６２、１６３外となった場合には、目標信号レベルは、境界内に装置の送信電力を保つようにオフセットされ、それにより、平均受信電力の均等化を向上させる。
【００６５】
図１０は、低レイテンシのメディアプロセッサ１７によって実行されてもよいＦＨＳＳホットスポット装置の周囲ノイズキャンセルに関する概念的なブロック図を示している。ＦＨＳＳ装置が、限定的なノイズキャンセル能力（例えば、Ｂｌｕｅｔｏｏｔｈ（登録商標）小型マイクロホン、スピーカ、ヘッドホン）を有する場合には、ＦＨＳＳホットスポット装置は、その周囲における可聴周囲ノイズを、対応する複数の無線同期接続上（例えば、Ｂｌｕｅｔｏｏｔｈ（登録商標）（ｅ）ＳＣＯチャネル上）で、及びＦＨＳＳ−ホットスポット装置のローカルなマイクロホンで、同時に受信される複数のＦＨＳＳ装置のマイクロホン信号を適切にブレンド（フィルタリング及び付加）することによって、更に緩和でき得る。
【００６６】
各Ｔｐｏｌｉｃｙ時間間隔（図８Ａの１５３）の複数のマイクロホンデータフレームは、ＲＸ同期バッファ（複数可）１７３から、及びローカルのマイクロホンバッファ１７４から、同時に取り出されてもよい。周囲ノイズによって支配される各ＦＨＳＳ装置マイクロホンデータフレーム（例えば、ＦＨＳＳホットスポットのローカルマイクロホン信号１７４）は、オーディオサンプルに変換され、適切にフィルタリング（等化）され、アクティブ（ａｃｔｉｖｅ）マイクロホン信号からコンバイナブロック１７２を使用して、減算されてもよい。３つの（非ノイズキャンセル）ヘッドホンを使用するローカライズされた録音／電子会議／ゲームセッション中に、周囲ノイズを緩和するコンバイナブロック１７２の実施例が、図１０に示されている。
【００６７】
フィルタ（等化器）は、様々な方法を使用して、等化器計算ブロック１７１によって計算されてもよい。例えば、信号間の相互相関は、等化器を計算し、アクティブマイクロホン信号の線形合成から減算されるべき各マイクロホン信号（周囲ノイズによって支配されている）を収集するためのメトリックとして使用されてもよい。ボックス１７５中では、周囲ノイズに支配されたマイクロホン信号（例えば、ＦＨＳＳホットスポットのローカルマイクロホン信号１７４）と３つのヘッドホンマイクロホン信号との間の相互相関について、シングルトーンの周囲ノイズが微弱なエコーを伴うと仮定して、示されている；同様な周囲ノイズの遅延及び振幅が、対応するヘッドセットマイクロホンで発生するように、ノイズ等化器を設定することによって、各等化されたノイズ信号１７６は、１７２で示されたような対応するヘッドセットマイクロホンから減算される可能性があり、シングルトーンの周囲ノイズは、緩和され得る。
【００６８】
図１１は、アプリケーションプロセッサ１８によって実行されてもよいＦＨＳＳホットスポット装置の近距離適応型音響ビーム形成の概念的なブロック図を示している。ＦＨＳＳホットスポット装置は、ＦＨＳＳホットスポット装置のマイクロホン１８２入力、及び／又は、スピーカのマイクロホン入力に基づいて、装置に対して移動してもよい複数のＦＨＳＳスピーカに送信される音声ストリームの遅延と音量のバランスを、継続的に取ってもよい（オンライン較正）。音声ストリームデータ１８１及び制御１８０プレーンが、図１１に示されている。
【００６９】
単一の音声ストリーム（例えば、マルチチャネル音声が、１８３で、０である）の場合、ＦＨＳＳホットスポット装置は、装置自体／他のＦＨＳＳ装置に対する仮想音源位置を継続的に移動して、装置に対して移動し得るスピーカの音声ストリームの遅延及び音量を、ＦＨＳＳホットスポット装置のマイクロホン１８２入力、及び／又は、スピーカのマイクロホン入力に基づいて、継続的に適合させることによって、３Ｄ音響効果を発生させてもよい。
【００７０】
遅延及び振幅は、様々な方法を用いて振幅及び遅延計算ブロック１８４によって、計算されてもよい。例えば、マイクロホン信号（例えば、ＦＨＳＳホットスポットのローカルマイクロホン信号１８２）と音声ストリーム信号との相関関係は、ストリームの遅延及び振幅を更新するためのメトリックとして使用されてもよい。ボックス１７５では、３つの音声ストリーム信号とマイクロホン信号との相関関係が示されている；ビーム形成は、遅延と振幅の相関関係を等化しようとすることによって（音声ストリームの遅延及び振幅を調整することによって）、達成されてもよい。
【００７１】
図１２は、ＦＨＳＳ装置（例えば、ＦＨＳＳホットスポット装置）を別のＦＨＳＳ装置に接続するための方法の概念的なフローチャート１８５を示し、ＦＨＳＳ装置（例えば、ＦＨＳＳホットスポット装置）が人と連絡してもよい方法の概念的なフローチャート１８６、１８７を示している。ＦＨＳＳホットスポット装置は、フローチャート１８５で示されているように、接続を失った（切断されるよりむしろ）ＦＨＳＳ装置への再接続を遅延して、他の（個人用）装置をＦＨＳＳ装置に接続可能にしてもよい。再接続の遅延は、例えば、ＦＨＳＳ装置のユーザが、自分の個人用装置を再度ペアリングして、自分の装置に再接続したい場合に、必要となり得る。
【００７２】
ＦＨＳＳ装置（ＦＨＳＳホットスポット装置を含む）は、概念的なフローチャート１８６で示されているように、近距離ＦＨＳＳ通信装置アドレス（例えば、Ｂｌｕｅｔｏｏｔｈ（登録商標）装置番号）を人と関連付けて、まず人の関連近距離ＦＨＳＳ装置と接続してみる（装置が、必要とするサービスをサポートしているならば）ことによって、人と連絡してみてもよい。
【００７３】
ＦＨＳＳ装置（ＦＨＳＳホットスポット装置を含む）は、概念的なフローチャート１８７で示されたように、まず、人と連絡する必要があるサービスをサポートする（従って、無線ブリッジとして機能する）、装置の付近にある信頼できる個人用ＦＨＳＳ装置に接続を試みて、他の無線通信技術（例えば、ＷＬＡＮ、セルラ）と比べて、電磁マイクロ波の放射を抑えることによって、人と連絡してもよい。
【００７４】
図１３は、近距離ＦＨＳＳ装置が連絡先と関連付けられると仮定する、概念的なユーザインタフェースを示している。発見されたＦＨＳＳ装置は、連絡先一覧に表してもよく、関連装置の詳細を連絡先詳細（例えば、連絡先詳細は、電話番号、住所及びＢｌｕｅｔｏｏｔｈ（登録商標）装置名／アドレス／クラスを含んでもよい）に追加することによって、特定の連絡先と関連付けられてもよい。
【００７５】
本発明が以上で特に示され、記載されたものによって限定されないことは、当業者によって理解されるであろう。むしろ、本発明の範囲は、以上で記載された様々な特徴の組合せ及び部分的組合せの両方の他、上記説明を読んで当業者が着想し得、従来技術にはない、様々な変形例及び変更例を含む。
［項目１］
周波数ホップスペクトラム拡散多重アクセス（ＦＨＳＳ−ＭＡ：ｆｒｅｑｕｅｎｃｙ−ｈｏｐｐｅｄ  ｓｐｒｅａｄ−ｓｐｅｃｔｒｕｍ  ｍｕｌｔｉｐｌｅ−ａｃｃｅｓｓ）受信装置であって、
複数のデジタル受信チェーンであって、各デジタル受信チェーンは連結されて、受信された無線周波数（ＲＦ：ｒａｄｉｏ−ｆｒｅｑｕｅｎｃｙ）ＦＨＳＳ−ＭＡ信号の、一対の共通なデジタル化された中間周波数（ＩＦ：ｉｎｔｅｒｍｅｄｉａｔｅ−ｆｒｅｑｕｅｎｃｙ）の同相（Ｉ）成分及び直交（Ｑ）成分を受信し、
各デジタル受信チェーンは、
デジタルＩＦのＩ成分とＱ成分とのミスマッチを減少するように構成されたＩ／Ｑ非平衡補正回路と、
上記Ｉ／Ｑ非平衡補正回路のＩ出力及びＱ出力を、略ゼロＩＦ（ＺＩＦ：ｚｅｒｏ−ＩＦ）に、上記Ｉ／Ｑ非平衡補正回路の上記Ｉ出力及びＱ出力を、上記各デジタル受信チェーンに対応し、上記複数のデジタル受信チェーンの他のチェーンに対応する周波数ホッピング波形と異なるデジタル化された各周波数ホッピング波形と混合することによって、ダウンコンバートして、ＺＩＦのＩ成分及びＱ成分を生成するように構成されたデジタルミキサ回路と、を含む、
複数のデジタル受信チェーンを備える、装置。
［項目２］
上記複数のデジタル受信チェーンの前に配設され、上記受信されたＦＨＳＳ−ＭＡ信号の上記デジタルＩＦのＩ成分及びＱ成分における局部発振器（ＬＯ：ｌｏｃａｌ  ｏｓｃｉｌｌａｔｏｒ）リーク及び／又は直流（ＤＣ）リークをフィルタリング除去するように構成された、搬送波ＬＯリーク及びＤＣリーク抑制回路を更に備える、項目１に記載の装置。
［項目３］
各デジタル受信チェーンのデータ受信を、デジタル受信チェーンの対応する周波数ホッピング波形の上記周波数チャネルが、データを能動的に受信する他のデジタル受信チェーンに対応する上記周波数ホッピング波形の少なくとも１つの周波数チャネルと同一であれば、無効にする制御回路を更に備える、項目１または２に記載の装置。
［項目４］
それぞれの上記Ｉ／Ｑ非平衡補正回路は、係数を使用して、Ｉ成分とＱ成分のミスマッチを減少するように構成され、上記係数は、上記各周波数ホッピング波形の上記周波数の関数として決定される、項目１から３のいずれか一項に記載の装置。
［項目５］
Ｉ成分とＱ成分とのミスマッチを減少させるのに使用される係数を出力するように構成された係数メモリであって、上記係数メモリのアドレスは、上記各周波数ホッピング波形の上記周波数の関数である、係数メモリを更に備える、項目４に記載の装置。
［項目６］
各上記デジタル受信チェーンは、上記デジタルミキサ回路のそれぞれのＩ成分及びＱ成分をフィルタリングし、間引きするように構成されたフィルタリング及び間引き回路を更に含む、項目１から５のいずれか一項に記載の装置。
［項目７］
各デジタル受信チェーンは、隣接チャネル除去復調回路を更に含み、
上記隣接チャネル除去復調回路は、
復調される上記ＦＨＳＳ−ＭＡ信号のパラメータ推定回路と、
パラメータを使用して上記復調されたシンボルを再変調する変調回路と、
それぞれの隣接チャネル変調器信号をダウンコンバート又はアップコンバートし、上記ダウンコンバートまたはアップコンバートされた上記隣接チャネル変調器信号を、上記フィルタリング及び間引き回路のＩ成分及びＱ成分から減算する、隣接チャネル干渉キャンセル回路と、
上記隣接チャネル除去復調回路の入力を、上記フィルタリング及び間引き回路のＩ成分及びＱ成分と連結させるか、又は上記隣接チャネル干渉キャンセル回路のＩ成分及びＱ成分と連結させるかを選択するマルチプレクサ回路と、
上記マルチプレクサ回路のＩ成分及びＱ成分をパケットシンボルに復調する復調回路と、
を含む、項目６に記載の装置。
［項目８］
各デジタル受信チェーンは、上記パケットシンボルを、各復調器から受信し、上記パケットシンボルをデータフレームに変換し、上記データフレームをメモリに記憶するように、連結される受信データ処理回路を更に含む、項目１から７のいずれか一項に記載の装置。
［項目９］
データの受信中ではない上記各デジタル受信チェーンに対応する上記周波数ホッピング波形の上記周波数は、通信を制御するために、上記ＦＨＳＳシグナリングプロトコルによって使用される周波数の組から選択される、周波数選択回路を更に備える、項目１から８のいずれか一項に記載の装置。
［項目１０］
周波数ホップスペクトラム拡散多重アクセス（ＦＨＳＳ−ＭＡ：ｆｒｅｑｕｅｎｃｙ−ｈｏｐｐｅｄ  ｓｐｒｅａｄ−ｓｐｅｃｔｒｕｍ  ｍｕｌｔｉｐｌｅ−ａｃｃｅｓｓ）送信装置であって、
複数のデジタル送信チェーンであって、各デジタル送信チェーンは、連結されて、各デジタル化された略ゼロ中間周波数（ＺＩＦ：ｚｅｒｏ−ｉｎｔｅｒｍｅｄｉａｔｅ−ｆｒｅｑｕｅｎｃｙ）の同相（Ｉ）及び直交（Ｑ）成分を受信し、
各デジタル送信チェーンは、
それぞれの上記ＺＩＦのＩ成分及びＱ成分を、上記各デジタル送信チェーンに対応し、上記複数のデジタル送信チェーンの他のチェーンと対応する周波数ホッピング波形とは異なる各デジタル周波数ホッピング波形と混合することによって、デジタル周波数ホッピングされた中間周波数（ＩＦ）のＩ成分及びＱ成分にアップコンバートして、各デジタル周波数ホッピングされたＩＦのＩ成分及びＱ成分を生成するように構成されたデジタルミキサ回路と、
アンテナで無線周波数（ＲＦ）信号にアップコンバートした後に測定される際に、Ｉ成分とＱ成分とのミスマッチを減少するように構成されたＩ／Ｑ非平衡補正回路と、を含む、複数のデジタル送信チェーンを備える装置。
［項目１１］
各デジタル送信チェーンは、メモリからそれぞれのデータフレームを受信し、上記データフレームをパケットシンボルに変換し、上記パケットシンボルを固定シンボルレートで出力するように連結される送信データ処理回路を更に含む、項目１０に記載の装置。
［項目１２］
各送信データ処理回路は、スケジュールされた共通の送信時点に対して、それぞれの上記パケットシンボルの出力を更に遅延させる、項目１１に記載の装置。
［項目１３］
各デジタル送信チェーンは、同相（Ｉ）及び直交（Ｑ）信号成分を生成するために、上記パケットシンボルを変調するデジタル変調回路を更に含む、項目１０から１２のいずれか一項に記載の装置。
［項目１４］
上記デジタルミキサ回路の前に、上記デジタル変調回路のＩ信号及びＱ信号成分を補間及びフィルタリングして、略ゼロ中間周波数（ＺＩＦ）の同相（Ｉ）及び直交（Ｑ）信号成分を生成するように構成された補間及びフィルタリング回路が、続く、項目１３に記載の装置。
［項目１５］
上記複数のデジタル送信チェーンのＩ／Ｑ非平衡補正のＩ成分とＱ成分を合成して、合成されたデジタルＩＦのＦＨＳＳ−ＭＡ信号のＩ成分及びＱ成分を得るように構成されたコンバイナ回路を更に備える、項目１０から１４のいずれか一項に記載の装置。
［項目１６］
上記合成されたデジタルＩＦのＦＨＳＳ−ＭＡ信号のＩ成分及びＱ成分を受信し、上記アンテナで無線周波数（ＲＦ）信号にアップコンバートした後に測定される際に、リーク抑圧デジタルＩＦのＩ成分及びＱ成分を出力するように、連結される搬送波リーク抑制回路を更に備える、項目１５に記載の装置。
［項目１７］
それぞれの上記Ｉ／Ｑ非平衡補正回路は、上記アンテナで無線周波数（ＲＦ）信号にアップコンバートした後に測定される際に、係数を使用して、Ｉ成分とＱ成分との上記ミスマッチを減少するように構成され、上記係数は、それぞれの上記周波数ホッピング波形の上記周波数の関数として決定される、項目１０から１６のいずれか一項に記載の装置。
［項目１８］
Ｉ成分とＱ成分との上記ミスマッチを減少させるのに使用される係数を出力するように構成された係数メモリであって、上記係数メモリのアドレスは、上記各デジタル周波数ホッピング波形の上記周波数の関数である、係数メモリを更に備える、項目１７に記載の装置。
［項目１９］
それぞれのデジタル送信チェーンのデータ送信を、上記デジタル送信チェーンの対応する周波数ホッピング波形の上記周波数チャネルが、データを能動的に送信する他のデジタル送信チェーンに対応する上記周波数ホッピング波形の少なくとも１つの上記周波数チャネルと同一であれば、無効にする制御回路を更に備える、項目１０から１８のいずれか一項に記載の装置。
［項目２０］
上記複数のデジタル送信チェーンの他のチャネルによって送信された隣接チャネル信号と同時に送信される場合、各変調器及び／又はミキサ回路は、上記信号の中心周波数をオフセットしてもよい、項目１０から１９のいずれか一項に記載の装置。
［項目２１］
データの送信中ではない上記各デジタル送信チェーンに対応する上記周波数ホッピング波形の上記周波数は、通信を制御するために、上記ＦＨＳＳシグナリングプロトコルによって使用される周波数の組から選択される、周波数選択回路を更に備える、項目１０から２０のいずれか一項に記載の装置。
［項目２２］
周波数ホップスペクトラム拡散多重アクセス（ＦＨＳＳ−ＭＡ：ｆｒｅｑｕｅｎｃｙ−ｈｏｐｐｅｄ  ｓｐｒｅａｄ−ｓｐｅｃｔｒｕｍ  ｍｕｌｔｉｐｌｅ−ａｃｃｅｓｓ）通信装置であって、
項目１に記載の上記受信装置と、
項目１０に記載の送信装置（場合によっては、幾つかの構成要素を上記受信装置と共有する）と、
を備える、装置。
［項目２３］
一定の時間間隔で、上記装置を、上記アプリケーションの関数であるバイナリパターンに応じて送信又は受信可能にする時分割複信（ＴＤＤ：ｔｉｍｅ−ｄｉｖｉｓｉｏｎ−ｄｕｐｌｅｘ）スケジューラ回路を更に備える、項目２２に記載の装置。
［項目２４］
１つ又は複数のプロセッサに、上記ＦＨＳＳ−ＭＡシステムを管理するための動作を実装させるように構成されたソフトウェア命令を記憶するメモリ、及び上記動作を実装するための１つ又は複数のプロセッサを更に備える、項目２２または２３に記載の装置。
［項目２５］
１つ又は複数のプロセッサに、マルチチャネル信号処理のための動作を実装させるように構成されたソフトウェア命令を記憶させてあるメモリ、及び上記動作を実装するための１つ又は複数のプロセッサを更に備える、項目２２または２３に記載の装置。
［項目２６］
周波数ホップスペクトラム拡散多重アクセス（ＦＨＳＳ−ＭＡ：ｆｒｅｑｕｅｎｃｙ−ｈｏｐｐｅｄ  ｓｐｒｅａｄ−ｓｐｅｃｔｒｕｍ  ｍｕｌｔｉｐｌｅ−ａｃｃｅｓｓ）通信方法であって、
複数の異なる周波数ホッピング波形に対応する、受信された無線周波数（ＲＦ）のＦＨＳＳ−ＭＡ信号から得られた、デジタル化された中間周波数（ＩＦ）の同相（Ｉ）成分及び直交（Ｑ）成分を、複数回（インスタンス）、処理するステップであって、
処理インスタンスは、
デジタルの上記ＩＦのＩ成分とＱ成分とのミスマッチを減少するために、Ｉ／Ｑ非平衡補正を実行するステップと、
上記Ｉ／Ｑ非平衡補正の上記Ｉ出力及びＱ出力を、上記複数の異なる周波数ホッピング波形の各周波数ホッピング波形と混合することによって、上記Ｉ／Ｑ非平衡補正の上記Ｉ出力及びＱ出力を、ゼロＩＦ（ＺＩＦ）にダウンコンバートして、ＺＩＦのＩ成分及びＱ成分を生成するステップと、
を含む、処理するステップを備える、方法。
［項目２７］
上記処理するステップは、デジタルの上記ＩＦのＩ成分及びＱ成分に対する搬送波リーク及び／又は直流抑圧を、上記処理するステップの前に、実行するステップを更に含む、項目２６に記載の方法。
［項目２８］
各処理インスタンスは、上記処理インスタンスの対応する周波数ホッピング波形の上記周波数チャネルが、データを受信する他の処理インスタンスに対応する上記周波数ホッピング波形の少なくとも１つの上記周波数チャネルと同一であれば、データ受信を無効にするステップを更に含む、項目２６または２７に記載の方法。
［項目２９］
Ｉ／Ｑ非平衡補正を実行するステップは、上記各周波数ホッピング波形の上記周波数に基づいて生成された係数を使用することを含む、項目２６から２８のいずれか一項に記載の方法。
［項目３０］
各処理インスタンスは、
上記復調されたＦＨＳＳ信号の上記パラメータを推定するステップと、
上記パラメータを使用して、上記ＦＨＳＳ信号を再復調するステップと、
上記ＦＨＳＳ信号をアップコンバート及び／又はダウンコンバートするステップと、
上記結果として得られた信号を、隣接チャネルＦＨＳＳ信号から減算するステップと、
を更に含む、項目２６から２８のいずれか一項に記載の方法。
［項目３１］
上記処理するステップは、通信を制御するために、上記ＦＨＳＳシグナリングプロトコルによって使用される上記周波数の組の中からデータを受信中でない上記処理インスタンスに対応する上記周波数ホッピング波形の上記周波数を選択するステップを更に含む、項目２６から３０のいずれか一項に記載の方法。
［項目３２］
周波数ホップスペクトラム拡散多重アクセス（ＦＨＳＳ−ＭＡ：ｆｒｅｑｕｅｎｃｙ−ｈｏｐｐｅｄ  ｓｐｒｅａｄ−ｓｐｅｃｔｒｕｍ  ｍｕｌｔｉｐｌｅ−ａｃｃｅｓｓ）通信方法であって、
複数の異なる周波数ホッピング波形に対応する、受信されデジタル化されたゼロ中間周波数（ＺＩＦ）の同相（Ｉ）と直交（Ｑ）信号成分を、複数回（インスタンス）、処理するステップであって、
上記処理するステップは、
デジタル化された中間周波数（ＩＦ）のＩ成分及びＱ成分を生成するために、デジタルの上記ＺＩＦのＩ成分及びＱ成分を、上記複数の異なる周波数ホッピング波形の各周波数ホッピング波形と混合することによって、デジタルの上記ＺＩＦのＩ成分及びＱ成分をアップコンバートするステップと、
デジタルの上記ＩＦのＩ成分とＱ成分とのミスマッチを減少するために、Ｉ／Ｑ非平衡補正を実行するステップと、
を含む、処理するステップを備える、方法。
［項目３３］
各処理インスタンスは、メモリからのデータフレームをパケットシンボルに変換するステップ、及び上記パケットシンボルを固定シンボルレートで出力するステップを更に含む、項目３２に記載の方法。
［項目３４］
上記処理するステップは、各パケットシンボルの出力を、スケジュールされた共通の送信インスタントに対して遅延させるステップを更に含む、項目３３に記載の方法。
［項目３５］
Ｉ／Ｑ非平衡補正を上記実行するステップは、上記各周波数ホッピング波形の上記周波数に基づいて生成された係数を使用するステップを含む、項目３２から３４のいずれか一項に記載の方法。
［項目３６］
それぞれの処理インスタンスは、上記処理インスタンスの対応する周波数ホッピング波形の上記周波数チャネルが、データを送信する他の処理インスタンスに対応する上記周波数ホッピング波形の少なくとも１つの上記周波数チャネルと同一であれば、データ送信を無効にするステップを更に含む、項目３２から３５のいずれか一項に記載の方法。
［項目３７］
隣接チャネル信号と同時に送信される場合、各処理インスタンスは、送信される信号の中心周波数を更にオフセットする、項目３２から３６のいずれか一項に記載の方法。
［項目３８］
上記処理するステップは、上記結果として得られた複数のデジタルＩＦのＩ成分とデジタルＩＦのＱ成分を合成するステップ、及び上記合成されたデジタルＩＦのＦＨＳＳ−ＭＡのＩ成分及びＱ成分に対する搬送波局部発振器（ＬＯ）リーク抑制を実行するステップを更に含む、項目３２から３７のいずれか一項に記載の方法。
［項目３９］
上記処理するステップは、通信を制御するために、上記ＦＨＳＳシグナリングプロトコルによって使用される上記周波数の組の中からデータを送信中でない上記各デジタル送信チェーンに対応する上記周波数ホッピング波形の上記周波数を選択するステップを更に含む、項目３２から３８のいずれか一項に記載の方法。
［項目４０］
項目２６から３１のいずれか一項に記載の上記受信方法、及び項目３２から３９のいずれか一項に記載の上記送信方法を備える、
周波数ホップスペクトラム拡散多重アクセス（ＦＨＳＳ−ＭＡ：ｆｒｅｑｕｅｎｃｙ−ｈｏｐｐｅｄ  ｓｐｒｅａｄ−ｓｐｅｃｔｒｕｍ  ｍｕｌｔｉｐｌｅ−ａｃｃｅｓｓ）通信方法。
［項目４１］
一定の時間間隔で、上記アプリケーションの関数であるバイナリパターンに応じて送信又は受信をスケジューリングするステップを更に備える、項目４０に記載の通信方法。
［項目４２］
処理するステップは、複数のＦＨＳＳ装置の送信電力を、上記装置の対応する受信された信号レベルを等化するように、制御するステップを更に含む、項目４０または４１に記載の通信方法。
［項目４３］
処理するステップは、複数の無線同期接続で同時に受信される複数のＦＨＳＳ装置のマイクロホン信号を適切にブレンドすることによって、可聴な周囲ノイズを緩和するステップを更に含む、項目４０から４２のいずれか一項に記載の通信方法。
［項目４４］
処理するステップは、ＦＨＳＳホットスポット装置のマイクロホン入力、及び／又は、ＦＨＳＳスピーカのマイクロホン入力に基づいて、音を制御するために、上記ＦＨＳＳホットスポット装置に対して移動中のＦＨＳＳ装置のスピーカの音声ストリームの上記遅延及び音量を適合するステップを、更に含む、項目４０から４３のいずれか一項に記載の通信方法。
［項目４５］
処理するステップは、接続を失った各ＦＨＳＳ装置に対する再接続を遅延して、他のＦＨＳＳ装置が上記各ＦＨＳＳ装置に接続可能にするステップを更に含む、項目４０から４４のいずれか一項に記載の通信方法。
［項目４６］
処理するステップは、近距離ＦＨＳＳ装置アドレスを人（連絡先）と関連付けて、まず上記人の関連付けられた近距離ＦＨＳＳ装置に接続するよう試みることによって、上記人と連絡を取るよう試みるステップを更に含む、項目４０から４５のいずれか一項に記載の通信方法。
［項目４７］
処理するステップは、人と連絡するのに必要とされる上記サービスをサポートする（従って、無線ブリッジとして機能する）信頼できるＦＨＳＳ装置にまず接続を試みることによって、上記人と連絡する際の電磁放射を低減するステップを更に含む、項目４０から４６のいずれか一項に記載の通信方法。
【国際調査報告】
2019531676.tif 000024